【事件の表示】
　特許第２９７５４４８号「玉払出装置」の請求項１に係る特許に対する特許異議の申立てについて、次のとおり決定する。
【結　論】
　訂正を認める。
　特許第２９７５４４８号の請求項１に係る特許を維持する。
【理　由】
（１）手続の経緯
　特許第２９７５４４８号の請求項１に係る発明は、平成３年４月１９日に特許出願され、平成１１年９月３日にその特許権の設定登録がなされたところ、岡林茂より特許異議の申立がなされ、平成１２年８月３日付けで取消理由通知がなされ、その指定期間内である平成１２年１０月１６日に訂正請求がなされたものである。
（２）訂正の適否についての判断
１．訂正の内容
訂正事項ａ
特許請求の範囲の【請求項１】を下記のように訂正する。
「【請求項１】所定の駆動源により制御されて遊技用の玉を払出す玉払出機構を有する玉払出装置であって、前記玉払出機構は、遊技機に設けられ、遊技者所有の有価価値を特定可能な情報が記録された記録媒体の記録情報により特定される有価価値を使用して玉貸出指令を発する記録媒体処理機からの玉貸出指令にしたがって貸玉の払出を行なうとともに、遊技における景品玉払出条件の成立に基づいて景品玉の払出を行ない、前記玉払出装置は、前記玉貸出指令の有無、または前記景品玉払出条件の成立の有無に基づいて、玉を払出すべき玉払出条件が成立したか否かを判定する払出条件判定手段と、前記玉払出機構による玉の払出を検出する玉払出検出手段と、前記払出条件判定手段の判定結果と前記玉払出検出手段の検出結果とに基づいて装置の動作状態の適否を判定する適否判定手段と、該適否判定手段により装置の動作状態が適正であると判定されたことを条件として、前記貸玉の払出時における所定個数の貸玉の払出に応じて、所定個数の貸玉の払出が完了した旨を示す情報を前記遊技機の外部に出力する貸玉情報出力手段と、前記適否判定手段により装置の動作状態が適正であると判定されたことを条件として、前記景品玉の払出時における所定個数の景品玉の払出に応じて、所定個数の景品玉の払出が行なわれた旨を示す情報を前記遊技機の外部に出力する景品玉情報出力手段とを含み、前記適否判定手段は、前記玉払出装置による玉の払出に異常が生じた場合に、その異常原因の種類を表示する制御を行なうことを特徴とする、玉払出装置。」
訂正事項ｂ
願書に添付した明細書の段落番号【０００５】の【問題を解決するための手段】を下記のように訂正する。
「請求項１に記載の本発明は、所定の駆動源により制御されて遊技用の玉を払出す玉払出機構を有する玉払出装置であって、前記玉払出機構は、遊技機に設けられ、遊技者所有の有価価値を特定可能な情報が記録された記録媒体の記録情報により特定される有価価値を使用して玉貸出指令を発する記録媒体処理機からの玉貸出指令にしたがって貸玉の払出を行なうとともに、遊技における景品玉払出条件の成立に基づいて景品玉の払出を行ない、前記玉貸出指令の有無、または前記景品玉払出条件の成立の有無に基づいて、玉を払出すべき玉払出条件が成立したか否かを判定する払出条件判定手段．．．景品玉情報出力手段とを含み、前記適否判定手段は、前記玉払出装置による玉の払出に異常が生じた場合に、その異常原因の種類を表示する制御を行なうことを特徴とする。」
訂正事項ｃ  
願書に添付した明細書の段落番号【０００７】の【作用】を下記のように訂正する。
「請求項１に記載の本発明によれば、遊技機に設けられた玉払出機構により、遊技者所有の有価価値を特定可能な情報が記録された記録媒体の記録情報により特定される有価価値を使用して玉貸出指令を発する記録媒体処理機からの玉貸出指令にしたがって貸玉の払出が行なわれるともに、遊技における景品玉払出条件の成立に基づいて景品玉の払出が行なわれる。払出条件判定手段により、前記玉貸出指令の有無、または前記景品玉払出条件の成立の有無に基づいて、玉払出条件が成立したか否かが判定され、玉払出機構による玉の払出が玉払出検出手段により検出される。．．．所定個数の景品玉の払出が行なわれた旨を示す情報が遊技機の外部に出力される。前記玉払出装置による玉の払出に異常が生じた場合に、適否判定手段の働きにより、その異常原因の種類を表示する制御が行なわれる。」
２．訂正の目的の適否、新規事項の有無、及び拡張・変更の存否
　訂正事項ａは、訂正前の請求項１に記載されていた発明を特定する事項である「玉を払出すべき玉払出条件が成立したか否かを判定する払出条件判定手段」を、「前記玉貸出指令の有無、または前記景品玉払出条件の成立の有無に基づいて、玉を払出すべき玉払出条件が成立したか否かを判定する払出条件判定手段」に、訂正前の請求項１に記載されていた発明を特定する事項である「景品玉情報出力手段とを含むことを特徴とする、」を、「景品玉情報出力手段とを含み、前記適否判定手段は、前記玉払出装置による玉の払出に異常が生じた場合に、その異常原因の種類を表示する制御を行なうことを特徴とする、」に、明細書及び図面に記載されていた実施例に即して下位概念に限定したものであり、特許請求の範囲の減縮を目的とし、願書に最初に添付した明細書又は図面に記載された事項の範囲内のものであって、実質的に特許請求の範囲を拡張又は変更するものではない。
　訂正事項ｂ、ｃは、上記特許請求の範囲の減縮に伴い、これと整合を図るために発明の詳細な説明を訂正するものであるから、明りょうでない記載の釈明を目的とするものである。そして、上記訂正は願書に添付した明細書または図面に記載された事項の範囲を越えるものとは認められないから、新規事項の追加に該当せず、また特許請求の範囲を実質的に拡張または変更するものではない。
３．むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書、第１２６条第２項の規定に適合するので、当該訂正を認める。
（３）特許異議の申立についての判断
１．本件発明 
　上記（２）で示したように上記訂正が認められるから、本件請求項１に係る発明は、上記訂正に係る訂正明細書の請求項１に記載された事項に特定されるとおりのものである。（上記（２）１．訂正事項ａ参照）
２．申立の理由の概要
　特許異議申立人は、証拠方法として甲第１号証（特願平３−１０３３２３号（特開平４−３０９３９２号）の願書に最初に添付した明細書及び図面）を提出し、本件請求項１に係る発明はその出願日前の出願であつて、その出願後に出願公開された甲第１号証に記載された発明と同一であり、しかも、本件請求項１に係る発明の発明者が上記先願明細書に記載された発明の発明者と同一でなく、この出願の時において、その出願人が上記他の出願の出願人と同一でもないのであるから、本件請求項１に係る発明の特許は特許法第２９条の２第１項の規定に違反してなされたものであるから、特許法第１１３条第２号の規定により特許を取り消すべ旨主張している。
３．甲第１号証の記載事項
（先願明細書の記載内容）
上記先願明細書には、次のことが記載されている。
「パチンコ機１の裏面側（図６に示す）には、．．．各入賞球に応じた賞球の排出制御、プリペイドカードに使用に基づいた遊技者の選択による球貸排出制御を行えるように、各種の機構部を備えた裏機構盤５１を設けてあり、」（【００２０】欄）
「遊技媒体排出装置６４の第１遊技媒体排出機構８５ａ及び第２遊技媒体排出機構８５ｂは、前面枠３の裏機構盤５１に取り付けるユニット基板８６の前後方向へ２系統に設けるものとしてあり、その概略は図９に示すようなもので、誘導樋６３に２条に設けた球流路７６ａ，７６ｂと連通する流入樋８７ａ，８７ｂ流入樋８７ｂと、該流入樋８７ａ，８７ｂに設置した排出ロック機構８８と、上記流入樋８７ａ，８７ｂに続く調流樋８９ａ，８９ｂに設置した排出ストッパ機構９０ａ，９０ｂ及び排出球の検出手段たる第１排出センサ９１ａ、第２排出センサ９１ｂとから構成してある。」（【００３８】欄）
「排出ストッパ機構９０ａ，９０ｂのストッパ用係止爪１０３ａ，１０３ｂが調流樋８９ａ，８９ｂの調流部９８内に進入してパチンコ球の流下を阻止している第１状態（この状態を排出ロック機構８８のオン状態とする）では、ストッパ用係止爪１０３ａ，１０３ｂに当接するパチンコ球を先頭に調流樋８９ａ，８９ｂ及び流入樋８７ａ，８７ｂ内にパチンコ球が隙間なく整列した状態で静止している。」（【００５６】欄） 　 
「排出ストッパ機構９０ａ，９０ｂの第１，第２排出ソレノイド１０４ａ，１０４ｂをオンさせることによって、ストッパ用係止爪１０３ａ，１０３ｂが調流部９８から後退した第２状態に変動させると、調流部９８内の先頭のパチンコ球および先頭に続く調流部９８、誘導部９７内のパチンコ球が速やかに流下し始め、これに続いて垂直部９６内のパチンコ球が誘導部９７内に進入し．．．誘導部９７内を落下し、調流部９８内を速やかに流下する。」（【００５８】欄）
「排出ストッパ機構９０ａ，９０ｂの第１，第２排出ソレノイド１０４ａ，１０４ｂをオフにすることで、ストッパ用係止爪１０３ａ，１０３ｂが調流部９８内に進入した第１状態に変換させると、調流部９８内を流下途中のパチンコ球がストッパ用係止爪１０３ａ，１０３ｂに衝突して流下を阻止され、これに続いて調流部９８、誘導部９７、垂直部９６、第２屈曲部９５、第２傾斜部９４、第１屈曲部９３、第１傾斜部９２内のパチンコ球も流下を阻止されることとなり、パチンコ球の排出動作が終了して元の静止状態に戻る。」（【００６０】欄） 
「このカード制御装置９は、遊技者がプリペイドカード１３１をカード挿排口１０よりカード制御装置９内へ挿入することに基づいて、当該プリペイドカード１３１の有価データたるカード残高を読み取り、挿入残高表示部１５にカード挿入時のカード残高を表示出力すると共に、カード制御装置９がカードを保持していることを示すためにカード保持表示部１６へ表示出力する。なお、プリペイドカード１３１の使用に基づく貸球排出動作が行われるまでは、残高表示部１４にもカード挿入時のカード残高が表示されるものとしてある。」（【００９１】欄）
「次いで、第１〜第４選択スイッチ１３ａ〜１３ｄよりなる球貸ボタン１１を遊技者が操作すると、当該操作された球貸ボタン１１に対応する球貸ボタン押圧表示部１３へ表示出力する。そして、この球貸ボタン１１が操作されることに基づいて、カード制御装置９は排出制御装置１３３へ上記球貸要求信号線Ｌ１５を介して球貸要求信号を出力し、該球貸要求に基づく貸球排出動作が完了することに基づく払出完了信号が払出完了信号線Ｌ１７を介して入力されると、払い出した遊技球数に該当する有価データをカード残高から減算し、残高表示部１４の表示内容をこの時点における有価データの残高に表示変更する。」（【００９２】欄）
「次に、排出制御装置１３３について詳述する。排出制御装置１３３は図１８に示すように、遊技盤制御装置１３２よりの賞球排出要求もしくはカード制御装置９よりの球貸要求に応じて、遊技媒体排出装置６４を適宜に駆動させ、所定数の遊技媒体たる遊技球を排出させる排出制御手段１５８を単一基板に設けて構成したものである。」（【０１１２】欄）
「また、排出制御装置１３３には排出開始条件確認手段１５９を設けてあり、この排出開始条件確認手段１５９が排出制御可能な状態であるか否かを確認し、該排出開始条件確認手段１５９より“排出開始可能信号”が排出開始可能信号線Ｌ２１を介して排出制御手段１５８に供給された場合にのみ、排出制御手段１５８による遊技媒体排出動作が可能となるのでる。」（【０１１３】欄）
「上記賞球情報出力手段１７３は、排出制御手段１５８が行った排出賞球数情報たる賞球排出数信号を計数し、該計数値が所定数（例えば１０個）に達することに基づいて、１パルスの賞球数信号を大当り情報出力信号線Ｌ１１を介して管理装置１３４へ出力する。上記売上情報出力手段１７４は、排出制御手段１５８が行った貸球排出数情報たる貸球排出終了信号を計数し、所定数（例えば遊技媒体貸出の最小単位数たる２５個）の貸球排出数を一単位として、一単位に対して１パルスの買信号を買信号線Ｌ１２を介して管理装置１３４へ出力する。」（【０１２４】欄）  
「貸球排出表示手段１７８は、貸球排出中信号が入力されている間継続して貸球排出表示部１８へ貸球排出表示出力を行い、賞球排出表示手段１７９は、賞球排出中信号が入力されている間継続して賞球排出表示部１９へ賞球排出表示出力を行う。かくして、．．．貸球排出動作中には貸球排出表示部１８が、賞球排出動作中には賞球排出表示部１９が、夫々オン状態となり、．．．」（【０１２８】欄）
「上記処理を行った後には、この排出制御装置１３３が遊技媒体の排出制御指令を行っていないにも拘らず、遊技媒体排出装置６４において、球の移動が有るか否かの排出装置不正監視処理を行い、この排出装置不正監視処理において排出不正フラグがセットされているか否かを判定し、該フラグがセットされていた場合には、排出装置不正解除処理を行う。」（【０２６０】欄）
「排出装置不正監視処理に際しては、遊技媒体排出装置６４の第１遊技媒体排出機構８５ａ及び第２遊技媒体排出機構８５ｂについて、夫々監視するものとしてあり、先ず第１遊技媒体排出機構８５ａの第１排出ソレノイド１０４ａへ駆動出力しているか否かを判定し、排出ソレノイド１０４ａをオンさせていれば、第１排出不正監視カウンタをクリア（カウント数を“０”に）し、次いで、第２遊技媒体排出機構８５ｂの第２排出ソレノイド１０４ｂへ駆動出力しているか否かを判定し、第２排出ソレノイド１０４ｂをオンさせていれば、第２排出不正監視カウンタをクリアする。そして、排出装置不正監視処理を一旦終了させ、再び行う排出装置不正監視処理において、第１、第２排出ソレノイド１０４ａ，１０４ｂがオン状態であれば、上記と同様にして第１，第２排出不正監視カウンタをクリアし続けるのである。」（【０２６７】欄）
「一方、第１排出ソレノイド１０４ａに駆動出力を行っていない場合には、第１遊技媒体排出機構８５ａより排出される球を検出する第１排出センサ９１ａの立上りフラグがセットされているか否かを判定し、セットされていた場合には、第１排出不正監視カウンタのカウント数に“１”を加算すると共に、第１排出センサ立上りフラグをリセットする。次いで、第１排出不正監視カウンタのカウント数が“３”に達したか否かを判定し、該カウント数が未だ“３”に達していなければ、第２遊技媒体排出機構８５ｂの不正監視を行う。」（【０２６８】欄）
「上記した第１遊技媒体排出機構８５ａの排出不正監視において、排出ソレノイド１０４ａがオンであった場合、排出ソレノイド１０４ａがオンであるが第１排出センサ立上りフラグがセットされていない場合、もしくは第１排出不正監視カウンタのカウント数が“２”以下であった場合に行う第２遊技媒体排出機構８５ｂの排出不正監視において、第１排出ソレノイド１０４ｂに駆動出力を行っていない場合には、第２遊技媒体排出機構８５ｂより排出される球を検出する第２排出センサ９１ｂの立上りフラグがセットされているか否かを判定し、セットされていた場合には、第２排出不正監視カウンタのカウント数に“１”を加算すると共に、第２排出センサ立上りフラグをリセットする。次いで、第２排出不正監視カウンタのカウント数が“３”に達したか否かを判定し、該カウント数が未だ“３”に達していなければ、排出装置不正監視処理を一旦終了する。」（【０２６９】欄）
「上記のようにして、排出不正監視処理を繰り返すことで、第１排出監視カウンタもしくは第２排出監視カウンタのカウント数が“３”に達した場合には、遊技媒体排出装置６に対して不正が為されたものとみなし、球抜ソレノイド１２３をオンさせて球抜ゲート１２１を流下樋１１５内へ臨ませ、排出球の流下路を球抜き樋１２０側へ切り換えると共に、排出不正フラグをセットする。また、この球抜きフラグがセットされることに基づいて、球貸排出表示部１８及び賞球排出表示部１９の点滅動作を行わせるものとし、当該パチンコ機１において、排出装置不正が発生したことを可視表示させる。」（【０２７０】欄）
「球貸開始処理においては、先ず排出開始条件確認処理を行い、この排出開始条件確認処理において排出可能フラグがセットされていた場合には、カード制御手段より要求された排出球数に応じた球貸数データを排出レジスタ０にセットすると共に、球貸排出表示部１８をオンさせる。さらに、球貸音要求フラグをセットして、遊技盤制御装置１３２へ球貸音要求が為されるようにすると共に、排出制御装置からカード制御装置へ貸球排出動作が可能であることを示唆するＰ台レディ信号を送信するためのＰ台レディフラグをセットする。」（【０２９４】欄）
「排出開始条件確認処理においては、排出センサ１球有フラグがセットされているか否か、排出センサ２球有フラグがセットされているか否か、半端センサ球有フラグがセットされているか否か、オーバーフロー球無フラグがセットされているか．．．を判定し、全てのフラグがセットされている場合にのみ、排出可能フラグをセットするのである。しかしながら、何れかのフラグがセットされていない場合には、排出可能フラグをリセットすることで、上記球貸開始処理を不可能とするのである。」（【０２９６】欄）
「遊技盤制御装置１３２より賞球要求が為されることに基づいて開始される賞球開始処理について説明する。この賞球排出開始処理に際しては、先ず、排出開始条件確認処理を行い、該排出開始条件確認処理において、排出可能フラグがセットされていなければ、遊技媒体排出装置６４による球排出動作が規制されているために、そのまま賞球排出処理を終了する。一方、排出可能フラグがセットされていた場合には、遊技盤制御装置１３２より賞球データ信号線Ｌ５を介して入力される賞球データ信号に基づく賞球データを排出レジスタ０にセットすると共に、賞球排出表示部１９をオンさせる。そして、上記した排出処理を開始させるための排出開始処理を行い、所定数の賞球排出動作が終了すると、処理番号を２に設定して賞球開始処理を終了する。」（【０３２９】欄）
「この賞球情報処理においては、先ず、読込確定信号の信号レベルが“ローレベル”（本実施例においては、各種信号を負論理で授受するものとしてあるので、“Ｈ”から“Ｌ”に反転した場合に信号出力されたこととなる。）であるか否かを判定し、ローレベルでなければ、賞球排出処理において排出終了フラグがセットされることに基づく読込確定フラグがセットされているか否かを判定する。ここで、読込確定フラグがセットされていた場合には、読込確定信号をローレベルに反転させ、読込確定タイマ（例えば５ｍｓ）をセットし、読込確定フラグをリセットする。上記のようにして読込確定信号がローレベルに反転すると、読込確定タイマがタイムアップしたか否かを判定し、タイムアップした場合には、読込確定信号を再びハイレベルに反転させる。斯くして、賞球排出確定信号たる読込確定信号が遊技盤制御装置１３２へ送出されるのである。」（【０３４３】欄）
「上記した読込確定信号の送信処理と並行して行う賞球数送信処理においては、先ず、賞球数信号の信号レベルが“Ｌ”であるか否かを判定し、この賞球数信号の信号レベルハイであった場合には、賞球送信禁止フラグがセットされているか否かを判定する。この賞球送信禁止フラグは、賞球数データの送信に際して、各賞球数信号と賞球数信号との間隔が一定の時間間隔（例えば１００ｍｓ）となるようにするために、信号出力を規制するためにセットするものである。」（【０３４４】欄）
「そして、賞球送信禁止フラグがセットされていなければ、賞球排出カウンタのカウント値が「１０」以上であるか否かを判定し、この賞球排出カウンタのカウント値が「１０」に達していなければ、一旦処理を終了し、上記と同様な処理を再び開始する。ここで、上記した賞球排出処理における球排出動作が終了することに伴って、排出球数分の賞球データが賞球排出カウンタに加算され、賞球排出カウンタのカウント値が「１０」以上に達すれば、賞球数信号を“Ｌ”に反転させると共に、賞球数タイマをセットする。」（【０３４５】欄）
「上記のようにして、賞球数信号がローレベルに反転されると、賞球数タイマがタイムアップしたか否かを判定し、未だ所定時間を計時していなければ、一旦処理を終了し、上記と同様な処理を再び行う。ここで、賞球数タイマがタイムアップした場合には、賞球数信号を“Ｈ”に反転させると共に、賞球数データとして送信済みとなった賞球数分の値たる「１０」を賞球数カウンタのカウント値から減算する。そして、賞球送信禁止フラグをセットすると共に、賞球数タイマ（例えば１００ｍｓ）をセットして、この後に行う賞球データ送信を一定時間規制する。」（【０３４６】欄）
「賞球送信禁止フラグがセットされることに基づいて、以後の賞球情報処理においては、賞球数タイマがタイムアップしたか否かの判定を行い、賞球数タイマがタイムアップしていなければ、賞球情報処理を終了し、賞球数タイマがタイムアップしていれば、賞球数禁止フラグをリセットして、再び賞球数信号の送信を可能にするのである。」（【０３４７】欄）　　
「貸球情報処理においては、先ず、カード制御装置９からの球貸要求がセットされているか否かを判定し、セットされていなければＰ台レディフラグをリセットした後に、セットされていればそのまま払出完了信号が“ローレベル”であるか否かを判定する。なお、この払出完了信号は、球貸要求に基づく球排出動作が完了したことに伴って、カード制御装置９へ出力される（負論理においては“Ｈ”から“Ｌ”に反転される）信号である。」（【０３４８】欄）
「払出完了信号の信号レベルが“Ｈ”であった場合には、上記球貸排出処理においてセットされる払出完了フラグの有無を判定し、払出終了フラグがセットされていれば、払出完了信号および買信号を“Ｌ”に反転させると共に、払出完了タイマ（例えば１０ｍｓ）をセットし、さらに払出完了フラグをリセットする。このようにして、払出完了信号がローレベルに反転することで、払出完了タイマがカウントアップしているか否かを判定し、払出完了タイマがタイムアップしていれば、払出完了信号および買信号の信号レベルを“Ｈ”に反転させる。なお、払出完了信号はカード制御装置９へ送出するもので、買信号は管理装置１３４へ出力されるものであるから、夫々出力時間を異ならしめる（例えば買信号は１００ｍｓ）ように、信号送出時間を計時するためのタイマを別途設けるようにしてもよい。」（【０３４９】欄）
「また、上記処理を行った後には、球貸排出が開始された時点でセットされるＰ台レディ信号の有無を判定し、該Ｐ台レディフラグがセットされていれば、Ｐ台レディ信号の信号レベルを“Ｌ”に反転させ、Ｐ台レディフラグがリセットされていれば、Ｐ台レディ信号を“Ｈ”にして、貸球情報処理を終了する。」（【０３５０】欄）
４．対比・判断
　本件請求項１に係る発明と甲第１号証に記載された発明とを対比すると、甲第１号証に記載された発明には、少なくとも本件請求項１に係る発明を特定する事項である「玉払出装置による玉の払出に異常が生じた場合に、その異常原因の種類を表示する制御を行なう」点が記載されていない。そして本件請求項１に係る発明は上記事項によって「玉払出異常の発生原因を特定し易くなり、パチンコ機を十分に管理できる」という作用効果を奏するものと認められる。
　先願明細書には、「払出異常が発生した場合に、賞球排出表示部１９または貸球排出表示部１８を点滅させる」ことは開示されているが、これらの表示部１８，１９で異常原因の種類を表示することは記載も示唆もされていない。
　したがって、 本件請求項１に係る発明は甲第１号証に記載された発明と同一ではない。
５．むすび
　以上のとおりであるから、特許異議の申立ての理由及び証拠によっては、本件請求項１に係る発明の特許を取り消すことは出来ない。
　また、他に本件請求項１に係る発明の特許を取り消すべき理由を発見しない。 
　よって、結論のとおり決定する。 
【異議決定日】
平成１３年３月２日（２００１．３．２）
【訂正の要旨】
訂正事項ａ
特許請求の範囲の【請求項１】を下記のように訂正する。
「【請求項１】所定の駆動源により制御されて遊技用の玉を払出す玉払出機構を有する玉払出装置であって、前記玉払出機構は、遊技機に設けられ、遊技者所有の有価価値を特定可能な情報が記録された記録媒体の記録情報により特定される有価価値を使用して玉貸出指令を発する記録媒体処理機からの玉貸出指令にしたがって貸玉の払出を行なうとともに、遊技における景品玉払出条件の成立に基づいて景品玉の払出を行ない前記玉払出装置は、前記玉貸出指令の有無、または前記景品玉払出条件の成立の有無に基づいて、玉を払出すべき玉払出条件が成立したか否かを判定する払出条件判定手段と、前記玉払出機構による玉の払出を検出する玉払出検出手段と、前記払出条件判定手段の判定結果と前記玉払出検出手段の検出結果とに基づいて装置の動作状態の適否を判定する適否判定手段と、該適否判定手段により装置の動作状態が適正であると判定されたことを条件として、前記貸玉の払出時における所定個数の貸玉の払出に応じて、所定個数の貸玉の払出が完了した旨を示す情報を前記遊技機の外部に出力する貸玉情報出力手段と、前記適否判定手段により装置の動作状態が適正であると判定されたことを条件として、前記景品玉の払出時における所定個数の景品玉の払出に応じて、所定個数の景品玉の払出が行なわれた旨を示す情報を前記遊技機の外部に出力する景品玉情報出力手段とを含み、前記適否判定手段は、前記玉払出装置による玉の払出に異常が生じた場合に、その異常原因の種類を表示する制御を行なうことを特徴とする、玉払出装置。」
訂正事項ｂ
願書に添付した明細書の段落番号【０００５】を下記のように訂正する。
「．．．前記玉貸出指令の有無、または前記景品玉払出条件の成立の有無に基づいて、玉を払出すべき玉払出条件が成立したか否かを判定する払出条件判定手段．．．景品玉情報出力手段とを含み、前記適否判定手段は、前記玉払出装置による玉の払出に異常が生じた場合に、その異常原因の種類を表示する制御を行なうことを特徴とする。」
訂正事項ｃ
願書に添付した明細書の段落番号【０００７】を下記のように訂正する。
「．．．払出条件判定手段により、前記玉貸出指令の有無、または前記景品玉払出条件の成立の有無に基づいて、玉払出条件が成立したか否かが判定され、玉払出機構による玉の払出が玉払出検出手段により検出される。．．．所定個数の景品玉の払出が行なわれた旨を示す情報が遊技機の外部に出力される。前記玉払出装置による玉の払出に異常が生じた場合に、適否判定手段の働きにより、その異常原因の種類を表示する制御が行なわれる。」
（５４）【発明の名称】
　玉払出装置
（５７）【特許請求の範囲】
　　【請求項１】　所定の駆動源により制御されて遊技用の玉を払出す玉払出機構を有する玉払出装置であって、
　前記玉払出機構は、遊技機に設けられ、遊技者所有の有価価値を特定可能な情報が記録された記録媒体の記録情報により特定される有価価値を使用して玉貸出指令を発する記録媒体処理機からの玉貸出指令にしたがって貸玉の払出を行なうとともに、遊技における景品玉払出条件の成立に基づいて景品玉の払出を行ない、
　前記玉払出装置は、
　前記玉貸出指令の有無、または前記景品玉払出条件の成立の有無に基づいて、玉を払出すべき玉払出条件が成立したか否かを判定する払出条件判定手段と、
　前記玉払出機構による玉の払出を検出する玉払出検出手段と、
　前記払出条件判定手段の判定結果と前記玉払出検出手段の検出結果とに基づいて装置の動作状態の適否を判定する適否判定手段と、
　該適否判定手段により装置の動作状態が適正であると判定されたことを条件として、前記貸玉の払出時における所定個数の貸玉の払出に応じて、所定個数の貸玉の払出が完了した旨を示す情報を前記遊技機の外部に出力する貸玉情報出力手段と、
　前記適否判定手段により装置の動作状態が適正であると判定されたことを条件として、前記景品玉の払出時における所定個数の景品玉の払出に応じて、所定個数の景品玉の払出が行なわれた旨を示す情報を前記遊技機の外部に出力する景品玉情報出力手段とを含み、
　前記適否判定手段は、前記玉払出装置による玉の払出に異常が生じた場合に、その異常原因の種類を表示する制御を行なうことを特徴とする、玉払出装置。
　　【請求項２】　所定の駆動源により制御されて遊技用の玉を払出す玉払出機構を有する玉払出装置であって、
　前記玉払出機構により払出すべき玉を検出するための第１の玉検出手段と、
　前記玉払出機構により払出された玉を検出する第２の玉検出手段と、
　前記第１の玉検出手段の検出結果と前記第２の玉検出手段の検出結果との組合せに基づいて、装置の動作状態の適否を判定する適否判定手段とを含むことを特徴とする、玉払出装置。
　　【請求項３】　前記玉払出機構は、遊技機に設けられ、遊技者所有の有価価値を特定可能な情報が記録された記録媒体の記録情報により特定される有価価値を使用して玉貸出指令を発する記録媒体処理機からの玉貸出指令にしたがって貸玉の払出を行なうとともに、遊技における景品玉払出条件の成立に基づいて景品玉の払出を行ない、
　前記玉払出装置は、
　前記適否判定手段により装置の動作状態が適正であると判定されたことを条件として、前記貸玉の払出時における所定個数の貸玉の払出に応じて、所定個数の貸玉の払出が完了した旨を示す情報を前記遊技機の外部に出力する貸玉情報出力手段と、
　前記適否判定手段により装置の動作状態が適正であると判定されたことを条件として、前記景品玉の払出時における所定個数の景品玉の払出に応じて、所定個数の景品玉の払出が行なわれた旨を示す情報を前記遊技機の外部に出力する景品玉情報出力手段とをさらに含むことを特徴とする、請求項２に記載の玉払出装置。
　　【請求項４】　前記玉払出機構は、玉を払出す場合に所定個数を１単位として単位個数ずつ玉を払出す動作を行ない、
　前記適否判定手段は、前記玉払出機構により玉が払出される状態において玉の実際の払出単位個数を認識し、認識した払出単位個数が前記１単位としての所定個数よりも多い場合に、装置の動作状態が不適正であると判定することを特徴とする、請求項１または２に記載の玉払出装置。
　　【請求項５】　前記玉払出機構は、玉を払出す場合に所定個数を１単位として単位個数ずつ玉を払出す動作を行ない、
　前記玉払出装置は、
　前記玉払出機構により玉が払出される状態における玉の実際の払出単位個数が前記１単位としての所定個数に満たない場合に、前記玉払出機構による玉の払出動作を再度実行させる払出動作再実行手段をさらに含み、
　前記適否判定手段は、前記払出動作再実行手段により玉の払出動作が再度実行された際の前記玉払出機構により玉が払出される状態において玉の実際の払出単位個数を認識し、認識した払出単位個数が前記１単位としての所定個数に満たない場合に、装置の動作状態が不適正であると判定することを特徴とする、請求項１または２に記載の玉払出装置。
【発明の詳細な説明】
　【０００１】
　　【産業上の利用分野】
　本発明は、たとえばパチンコ遊技機における景品玉の払出や玉貸機における貸玉の払出等に用いられる玉払出装置に関し、詳しくは、所定の駆動源を制御して遊技用の玉（遊技玉）を払出す玉払出機構を有する玉払出装置に関する。
　【０００２】
　　【従来の技術】
　この種の玉払出装置に関し、従来から一般的に知られているものに、たとえば、ソレノイドやモータ等の所定の駆動源により制御されて遊技玉を払出す玉払出機構が設けられ、所定の玉払出条件の成立に基づいてその玉払出機構が作動して所定個数の遊技玉を払出す玉払出装置があった。
　【０００３】
　　【発明が解決しようとする課題】
　この種の従来の玉払出装置においては、装置の故障や玉詰り等の種々の原因で、たとえば、玉を払出すための玉払出条件が成立したにもかかわらず遊技玉が払出されなかったり玉払出条件が成立していないにもかかわらず玉が払出されたりする不都合があった。このような装置の動作異常が生じた場合には係員がその異常に気づいて玉払出装置を停止するまでは異常状態のままで装置が作動することになり、取返しのつかない事態が生ずる恐れがある。
　【０００４】
　請求項１および請求項２に記載の本発明は、かかる実情に鑑み考え出されたものであり、その目的は、装置の動作状態の適否を自動判定するとともに、その適否判定に供される情報量を増やしてより高い適否判定機能を発揮し得る玉払出装置を提供することである。
　【０００５】
　　【課題を解決するための手段】
　請求項１に記載の本発明は、所定の駆動源により制御されて遊技用の玉を払出す玉払出機構を有する玉払出装置であって、
　前記玉払出機構は、遊技機に設けられ、遊技者所有の有価価値を特定可能な情報が記録された記録媒体の記録情報により特定される有価価値を使用して玉貸出指令を発する記録媒体処理機からの玉貸出指令にしたがって貸玉の払出を行なうとともに、遊技における景品玉払出条件の成立に基づいて景品玉の払出を行ない、
　前記玉払出装置は、
　前記玉貸出指令の有無・または前記景品玉払出条件の成立の有無に基づいて、玉を払出すべき玉払出条件が成立したか否かを判定する払出条件判定手段と、
　前記玉払出機構による玉の払出を検出する玉払出検出手段と、
　前記払出条件判定手段の判定結果と前記玉払出検出手段の検出結果とに基づいて装置の動作状態の適否を判定する適否判定手段と、
　該適否判定手段により装置の動作状態が適正であると判定されたことを条件として、前記貸玉の払出時における所定個数の貸玉の払出に応じて、所定個数の貸玉の払出が完了した旨を示す情報を前記遊技機の外部に出力する貸玉情報出力手段と、
　前記適否判定手段により装置の動作状態が適正であると判定されたことを条件として、前記景品玉の払出時における所定個数の景品玉の払出に応じて、所定個数の景品玉の払出が行なわれた旨を示す情報を前記遊技機の外部に出力する景品玉情報出力手段とを含み、
　前記適否判定手段は、前記玉払出装置による玉の払出に異常が生じた場合に、その異常原因の種類を表示する制御を行なうことを特徴とする。
　【０００６】
　請求項２に記載の本発明は、所定の駆動源により制御されて遊技用の玉を払出す玉払出機構を有する玉払出装置であって、
　前記玉払出機構により払出すべき玉を検出するための第１の玉検出手段と、
　前記玉払出機構により払出された玉を検出する第２の玉検出手段と、
　前記第１の玉検出手段の検出結果と前記第２の玉検出手段の検出結果との組合せに基づいて、装置の動作状態の適否を判定する適否判定手段とを含むことを特徴とする。
　請求項３に記載の本発明は、請求項２に記載の発明の構成に加えて、前記玉払出機構は、遊技機に設けられ、遊技者所有の有価価値を特定可能な情報が記録された記録媒体の記録情報により特定される有価価値を使用して玉貸出指令を発する記録媒体処理機からの玉貸出指令にしたがって貸玉の払出を行なうとともに、遊技における景品玉払出条件の成立に基づいて景品玉の払出を行ない、
　前記玉払出装置は、
　前記適否判定手段により装置の動作状態が適正であると判定されたことを条件として、前記貸玉の払出時における所定偶数の貸玉の払出に応じて、所定偶数の貸玉の払出が完了した旨を示す情報を前記遊技機の外部に出力する貸玉情報出力手段と、
　前記適否判定手段により装置の動作状態が適正であると判定されたことを条件として、前記景品玉の払出時における所定偶数の景品玉の払出に応じて、所定個数の景品玉の払出が行なわれた旨を示す情報を前記遊技機の外部に出力する景品玉情報出力手段とをさらに含むことを特徴とする。
　請求項４に記載の本発明は、請求項１または２に記載の発明の構成に加えて、前記玉払出機構は、玉を払出す場合に所定欄数を１単位として単位個数ずつ玉を払出す動作を行ない、
　前記適否判定手段は、前記玉払出機構により玉が払出される状態において玉の実際の払出単位個数を認識し、認識した払出単位個数が前記１単位としての所定個数よりも多い場合に、装置の動作状態が不適正であると判定することを特徴とする。
　請求項５に記載の本発明は、請求項１または２に記載の発明の構成に加えて、前記玉払出機構は、玉を払出す場合に所定個数を１単位として単位個数ずつ玉を払出す動作を行ない、
　前記玉払出装置は、
　前記玉払出機構により玉が払出される状態における玉の実際の払出単位個数が前記１単位としての所定個数に満たない場合に、前記玉払出機構による玉の払出動作を再度実行させる払出動作再実行手段をさらに含み、
　前記適否判定手段は、前記払出動作再実行手段により玉の払出動作が再度実行された際の前記玉払出機構により玉が払出される状態において玉の実際の払出単位個数を認識し、認識した払出単位個数が前記１単位としての所定個数に満たない場合に、装置の動作状態が不適正であると判定することを特徴とする。
　【０００７】
　　【作用】
　請求項１に記載の本発明によれば、遊技機に設けられた玉払出機構により、遊技者所有の有価価値を特定可能な情報が記録された記録媒体の記録情報により特定される有価価値を使用して玉貸出指令を発する記録媒体処理機からの玉貸出指令にしたがって貸玉の払出が行なわれるともに、遊技における景品玉払出条件の成立に基づいて景品玉の払出が行なわれる。払出条件判定手段により、前記玉貸出指令の有無、または前記景品玉払出条件の成立の有無に基づいて、玉払出条件が成立したか否かが判定され、玉払出機構による玉の払出が玉払出検出手段により検出される。そして、払出条件判定手段の判定結果と玉払出検出手段の検出結果とに基づいて、適否判定手段の働きにより装置の動作状態の適否が判定される。さらに、貸玉情報出力手段の働きにより、適否判定手段により装置の動作状態が適正であると判定されたことを条件として、貸玉の払出時における所定個数の貸玉の払出に応じて、所定個数の貸玉の払出が完了した旨を示す情報が遊技機の外部に出力される。さらに、景品玉情報出力手段の働きにより、適否判定手段により装置の動作状態が適正であると判定されたことを条件として、景品玉の払出時における所定個数の景品玉の払出に応じて、所定個数の景品玉の払出が行なわれた旨を示す情報が遊技機の外部に出力される。前記玉払出装置による玉の払出に異常が生じた場合に、適否判定手段の働きにより、その異常原因の種類を表示する制御が行なわれる。
　【０００８】
　請求項２に記載の本発明によれば、第１の玉検出手段の働きにより玉払出機構による払出すべき玉が検出され、第２の玉検出手段の働きにより玉払出機構による払出された玉が検出される。そして、その第１の玉検出手段と第２の玉検出手段との両検出手段の検出結果の組合せに基づいて、装置の動作状態の適否が判定される。
　請求項３に記載の本発明によれば、請求項２に記載の発明の作用に加えて、次のように作用する。遊技機に設けられた玉払出機構の働きにより、遊技者所有の有価価値を特定可能な情報が記録された記録媒体の記録情報により特定される有価価値を使用して玉貸出指令を発する記録媒体処理機からの玉貸出指令にしたがって貸玉の払出が行なわれるとともに、遊技における景品玉払出条件の成立に基づいて景品玉の払出が行なわれる。貸玉情報出力手段の働きにより、適否判定手段により装置の動作状態が適正であると判定されたことを条件として、前記貸玉の払出時における所定個数の貸玉の払出に応じて、所定個数の貸玉の払出が完了した旨を示す情報が遊技機の外部に出力される。景品玉情報出力手段の働きにより、適否判定手段により装置の動作状態が適正であると判定されたことを条件として、景品玉の払出時における所定個数の景品玉の払出に応じて、所定個数の景品玉の払出が行なわれた旨を示す情報が遊技機の外部に出力される。
　請求項４に記載の本発明によれば、請求項１または２に記載の発明の作用に加えて、次のように作用する。玉払出機構の働きにより、玉を払出す場合に所定個数を１単位として単位個数ずつ玉を払出す動作が行なわれる。適否判定手段のさらなる働きにより、玉払出機構により玉が払出される状態において玉の実際の払出単位個数を認識し、認識した払出単位個数が１単位としての所定個数よりも多い場合に、装置の動作状態が不適正であると判定される。
　請求項５に記載の本発明によれば、請求項１または２に記載の発明の作用に加えて、次のように作用する。玉払出機構の働きにより、玉を払出す場合に所定個数を１単位として単位個数ずつ玉を払出す動作が行なわれる。払出動作再実行手段の働きにより、玉払出機構により玉が払出される状態における玉の実際の払出単位個数が１単位としての所定個数に満たない場合に、玉払出機構による玉の払出動作が再度実行させられる。適否判定手段のさらなる働きにより、払出動作再実行手段により玉の払出動作が再度実行された際の玉払出機構により玉が払出される状態において玉の実際の払出単位個数を認識し、認識した払出単位個数が１単位としての所定個数に満たない場合に、装置の動作状態が不適正であると判定される。
　【０００９】
　　【発明の実施例】
　次に、本発明の実施例を図面に基づいて詳細に説明する。なお、本実施例では玉払出装置をパチンコ遊技機に用いた場合を示すが、本発明はこれに限らず、遊技玉を用いてゲームを行なうスロットマシンや玉貸装置等のように遊技用の玉を払出すものであればいかなるものにでも用いることができる。
　【００１０】
　図１は、本発明に係る玉払出装置が用いられている弾球遊技機の一例のパチンコ遊技機６０およびカード処理機６２を示す正面図である。
　【００１１】
　パチンコ遊技機６０の左右方向一側部（図面では左側）にはカード処理機６２がパチンコ遊技機６０に対し分離可能な状態で設けられている。図中１３０は処理機使用可表示器であり、カード処理機６２が作動中で使用可能である旨を点灯表示するためのものである。カード処理機６２にはカードリーダライタが設けられたカードリーダライタ制御部１３４が設けられており、カード挿入・排出口１３３からカードを挿入すればそのカードに記録されている記録情報がこのカードリーダライタにより読取れる。その読取られたカード情報に含まれている挿入時のカード残額が挿入時残高表示器１３１により表示される。この挿入時残高表示器１３１は、パチンコ遊技機６０側に設けてもよく、また、幕板等の他の場所に設けてもよい。このカード処理機６２にはＣＰＵ，ＲＯＭ，ＲＡＭ等が内蔵されたカード処理機制御部１３５が設けられており、このカード処理機制御部１３５よりカード処理機６２全体が制御される。
　【００１２】
　遊技者がこのカード挿入・排出口１３３にカードを挿入してその挿入カードが適正でかつカード残額が残っている場合で玉貸操作が可能な場合には、カード処理機制御部１３５からパチンコ遊技機６０側に玉貸可ＬＥＤ点灯用の制御信号が出力されて玉貯留皿５９に設けられている玉貸可ＬＥＤ（玉貸可表示器）４８ｄが点灯される。この玉貸可ＬＥＤ（玉貸可表示器）４８ｄは玉貸操作ができる旨を点灯表示するものである。遊技者がこの玉貸可ＬＥＤ（玉貸可表示器）４８ｄの点灯していることを確認して玉貸ボタン４４ｃを押圧操作する。すると、後述するたとえばロータリスイッチ等からなる貸玉額設定スイッチ１３７によって予め設定されている一回の玉貸操作により払出される貸玉額（以下、単に貸玉額という）分の遊技玉（パチンコ玉）が打球供給皿５９内に払出される。この貸玉額分の払出が終了するまでは玉貸可ＬＥＤ（玉貸可表示器）４８ｄが消灯する。そして貸玉額分のパチンコ玉の払出が終了した段階でカード処理機６２内に挿入されているカードのカード残額が貸玉額分減額更新される。
　【００１３】
　図中４２ｃは返却ボタンであり、玉貸可ＬＥＤ（玉貸可表示器）４８ｄの点灯している期間中操作が有効なものである。この返却ボタン４２ｃが遊技者によって押圧操作されることにより、カード処理機６２内に挿入されているカードがカード挿入・排出口１３３から遊技者側に返却される。なお、カード挿入・排出口１３３に挿入されているカードの残額をすべて使い果たした場合にはその０カードが機内に回収される。このカード挿入・排出口１３３は、カードが挿入・排出される溝部分の外周に突条が設けられており、図示右側の突条１３３ａより左側の突条１３３ｂのほうが突出量の大きい突条に構成されており、このカード処理機６２の図示左側に設置されているパチンコ遊技機（図示せず）で遊技をせんとする遊技者が間違ってこのカード処理機６２のカード挿入・排出口１３３にカードを挿入する不都合を極力防止できるようにしている。図中１３２はカード挿入ランプであり、カード挿入・排出口１３３にカードが挿入されて所定位置に保持された状態で点灯するものである。
　【００１４】
　挿入時残高表示器１３１によってカード挿入時のカード残額が表示され、玉貸が行なわれて減額更新された後のカードの残金額が打球供給皿５９に設けられている残金額表示器（カード残高表示器）５０により表示される。打球供給皿５９内にパチンコ玉が払出された状態で遊技者が打球操作ハンドル１２１を操作すれば、パチンコ玉が１つずつ遊技領域１２０内に打込まれる。遊技領域１２０には、始動入賞口１２５ａ，１２５ｂ，１２５ｃが設けられており、この始動入賞口１２５ａ〜１２５ｃにパチンコ玉が入賞することにより可変表示装置１２３が可変開始される。そして停止時の表示結果が特定の識別情報の組合せ（７７７）となれば大当りとなり可変入賞球装置１２４が開成してパチンコ玉が入賞しやすい第１の状態となる。始動入賞口１２５ａにパチンコ玉が入賞すると１個の入賞につきｎ個（たとえば７個）の景品玉が打球供給皿５９に払出される。始動入賞口１２５ｂ，１２５ｃ内にパチンコ玉が入賞すると１個の入賞につきｍ個（たとえば１０個）の景品玉が打球供給皿５９内に払出される。さらに、遊技領域１２０内に設けられている通常の入賞口や可変入賞球装置１２４内にパチンコ玉が入賞すると１個の入賞につきＫ個（たとえば１５個）の景品玉が打球供給皿５９内に払出される。これらの景品玉の払出の最中に払出ランプ１２６が点灯または点滅表示される。
　【００１５】
　この玉貯留皿１９内に払出される景品玉は後述する玉タンク１５１（図２参照）内に貯留されているのであり、この玉タンク１５１内の貯留玉がなくなればタンク玉センサ１５０が玉を検出しなくなり、その時点で玉切れ表示器１２７が点灯または点滅表示して貯留玉がなくなったことを表示する。打球供給皿５９が景品玉で満杯となりそれ以上貯留できなくなった余剰玉は余剰玉貯留皿１２２内に払出される。この余剰玉貯留皿１２２も満杯になった場合に、それ以降払出すべき景品玉が生じたときにその景品玉の個数またはその景品玉に相当する金額等を記憶して表示するクレジット得点表示器を打球供給皿５９に設けてもよい。つまり、本実施例では、後述するように１個の入賞玉に基づく景品玉の払出制御が終了した後さらに次の入賞玉に基づく景品玉の払出制御を行なうという入賞玉１個宛処理を行なっており、前記余剰玉貯留皿１２２が満杯になった以降において、入賞玉に基づいて払出すべき景品玉が存在するときにはその入賞玉に基づいて払出すべき景品玉の個数またその景品玉に相当する金額等を加算記憶し、その加算記憶が終了した後次の入賞玉に基づく加算記憶を行ない、その加算記憶された記憶値をクレジット得点表示器により表示させてもよい。その場合には、玉貯留皿５９や余剰玉貯留皿１２２内のパチンコ玉が少なくなった後においてこのクレジット得点表示器に表示されている得点分の景品玉を払出す。残金額表示器（カード残高表示器）５０，挿入時残額表示器１３１は７セグメント表示器で構成しているが、その代わりに、複数の発光ダイオードを貸玉額や１００円単位に対応させて設けてもよい。また、残金額表示器（カード残高表示器）５０により貸玉額を表示してもよく、さらに別の表示器を設けてそれに貸玉額を表示したり貸玉額が印刷されたシールを張りつけたりしてもよい。図中１５はスピーカであり、大当り時の効果録音等が発せられる。
　【００１６】
　図２は、カード処理機およびパチンコ遊技機の一部内部構造を示す背面図である。
　【００１７】
　カード処理機６２のカード処理機制御部１３５に接続されている配線がパチンコ遊技機６０に設けられている中継端子基板１３８にコネクタ１３９により接続され、カード処理機制御部１３５と中継端子基板１３８とが配線により互いに情報の送受信ができるようになっている。またこの中継端子基板１３８には、払出制御基板ボックス１４５内に収納されている払出制御基板，ゲーム制御基板ボックス１４８内に収納されているゲーム制御基板，遊技機用ターミナルボックス１４９，投受光器制御基板７０が、それぞれコネクタ１４１，１４４，１４３，１４２を介して接続される。さらに、打球供給皿５９に設けられている前述した各種表示器や各種操作ボタンのスイッチがコネクタ１４０を介して中継端子基板１３８に接続されている。なお、カード処理機制御部１３５と打球供給皿５９に設けられている各種表示器や各種操作ボタンのスイッチならびに払出制御基板ボックス１４５内の払出制御基板とを中継端子基板１３８を介することなく直接配線により接続し、払出制御基板と投受光器制御基板７０とを中継端子基板１３８を介して接続するようにしてもよい。
　【００１８】
　カード処理機６２の裏面側には、１回の玉貸操作により払出される貸玉額を予め入力設定するための貸玉額設定スイッチ１３７が設けられており、図示するように、１００円，２００円，３００円，４００円，５００円の５種類の金額が入力設定できるようになっている。たとえば遊技場の係員により図示のように貸玉額が３００円に設定されればその３００円が貸玉額としてカード処理機制御部１３５のマイクロコンピュータ３００（図１９参照）に記憶される。そして、遊技者がカードをカード挿入・排出口１３３に挿入し、玉貸ボタン４４ｃを押圧操作することにより自動的にこの貸玉額（３００円）分のパチンコ玉が打球供給皿５９内に払出されカード残額から減額されることになる。カード処理機６２の裏面側には、端数表示スイッチ１３６が設けられている。この端数表示スイッチ１３６は、残金額表示器（カード残高表示器）５０により表示される挿入カードの現時点における残額に１００円未満の端数が生じた場合に表示桁を切換えることによりその１００円未満の端数を表示させるためのものである。つまり、貸玉レートが変更されて貸出されるパチンコ玉の金銭等価価値が変わったこと等に起因して１００円未満のカード残額が生ずる場合にこの端数表示スイッチ１３６を切換えると、まず１万円単位の残額がある場合には端数を切り捨てて残金額表示器（カード残高表示器）５０により点滅表示され、１万円単位の残額がなくなった時点で自動的に表示器が切換わり１００円未満の端数まで点灯表示される。図中１３４はカードリーダライタおよびその制御回路を含むカードリーダライタ制御部、１３１は挿入時残額表示器である。
　【００１９】
　払出制御基板ボックス１４５には、エラー原因表示器１４６が設けられており、玉払出器６３によるパチンコ玉の払出に異常が生じた場合のその異常原因の種類を表示できるように構成されている。そして発生した異常を遊技場の係員が修復した場合にはリセットボタン１４７を操作し、玉払出制御用のプログラムをリセットする。このエラー原因表示器１４６を払出制御基板ボックス１４５に設ける代わりに、エラー原因を玉貯留皿５９に設けられている残金額表示器（カード残高表示器）５０により表示したり、遊技機前面側に別途エラー原因表示器を設けたり、原因によって払出ランプ１２６の点滅態様を変えることにより対応させたり、あるいは、ホール用管理コンピュータで表示したりしてもよい。前記玉払出器６３と払出制御基板ボックス１４５内の払出制御基板とにより本発明の玉払出装置が構成される。
　【００２０】
　遊技領域１２０内に打込まれたパチンコ玉が始動入賞口１２５ａ，１２５ｂ，１２５ｃ（図１参照）に入賞すれば、その入賞玉が始動入賞玉検出スイッチ１２８ａ，１２８ｂ，１２８ｃにより検出され、その検出信号に基づいてゲーム制御基板ボックス１４８内のゲーム制御基板が可変表示装置１２３（図１参照）の可変制御を行なう。この始動入賞玉検出スイッチ１２８ａの検出信号はゲーム制御基板のゲーム制御用マイクロコンピュータ３７０を介して払出制御基板の払出制御用マイクロコンピュータ３５０（図２０参照）に入力され後述する制御に用いられる。これら始動入賞玉検出スイッチ１２５ａ，１２５ｂ，１２５ｃより検出された入賞玉は入賞玉処理機構４４５における入賞玉センサＡ（１７０ａ）に導かれてその入賞玉センサＡ（１７０ａ）により検出される。図中１７１ａ，１７１ｂは払出ソレノイドであり、景品玉の払出処理が終わった入賞玉を１個ずつ下方に落下させるためのものである。図１に示す中央の始動入賞口１２５ａにパチンコ玉が入賞すればその入賞玉１個につきｎ個（たとえば７個）の景品玉が払出され、左右に設けられている始動入賞口１２５ｂ，１２５ｃのいずれかにパチンコ玉が入賞すればその入賞玉１個にっきｍ個（たとえば１０個）の景品玉が払出される。一方、始動入賞口１２５ａ，１２５ｂ，１２５ｃ以外の通常の入賞口や可変入賞球装置１２４内に入賞したパチンコ玉は入賞玉センサＢ（１７０ｂ）に導かれてその入賞玉センサＢ（１７０ｂ）により検出され、その入賞玉１個につきｋ個（たとえば１５個）の景品玉が打球供給皿５９に払出される。入賞玉１個につき払出すべき景品玉の個数（ｎ，ｍ，ｋ）が払出制御基板の払出制御用マイクロコンピュータ３５０に固定情報として記憶されている。なお、この入賞玉１個につき払出すべき景品玉の個数を投受光器制御基板７０の方に固定情報として記憶させておき、電源投入時等にその払出個数情報を払出制御用マイクロコンピュータ３５０の方に送信して記憶させてもよい。このようにすると、景品玉の払出個数の異なる他の機種のパチンコ遊技機に対しても、玉払出器６３をその機種に合った払出個数が記憶された投受光器制御基板７０を有する玉払出装置に取替えるだけで対応できる利点がある。
　【００２１】
　玉払出器６３から払出されたパチンコ玉により打球供給皿５９が満杯となりそれ以上貯留できなくなった余剰玉は余剰玉受皿１２２内に排出されるのであるが、その余剰玉受皿１２２も満杯になれば満タン検出スイッチ１６２により満タンになったことが検出され、玉の払出が停止制御される。
　【００２２】
　玉払出器６３によって払出されるパチンコ玉は玉タンク１５１内に貯留されている。この玉タンク１５１内の貯留玉を玉払出器６３に導くタンクレール途中にタンク玉センサ１５０が設けられており、このタンク玉センサ１５０により玉タンク１５１内の貯留玉がなくなったことが検出され、その検出信号が遊技機用ターミナルボックス１４９，中継端子基板１３８を介して払出制御基板ボックス１４５内の払出制御基板に入力される。このタンク玉センサ１５０が玉を検出しなくなった時点で玉切れ表示器１２７を点灯表示させるとともに、後述するように玉貸しによるパチンコ玉の払出動作のみが不能動化される（図２３のＳ５２参照）。玉タンク１５１には、島に設けられる補給樋１５２からパチンコ玉が補給玉検出器を含む補給装置１５３を介して供給される。この玉タンク１５１に供給される供給玉が補給装置１５３の補給玉検出器により検出されるのであり、所定個数ａ（たとえば１０個）のパチンコ玉が供給されたことを検出して１パルスの検出信号がこの補給玉検出器から出力される。その出力信号はコネクタ１５４に伝達される。カード処理機６２からの玉貸要求信号を受けて玉タンク１５１内のパチンコ玉を打球供給皿５９に払出すのではなく、遊技者が玉貸機から購入してきた貸玉を打球供給皿５９内に投入して遊技を行なう従来から一般的なパチンコ遊技機の場合には、コネクタ１５４とホール用管理コンピュータに接続されているコネクタ１５５とを接続し、補給玉検出器からの検出信号をホール用管理コンピュータに送信し、ホール用管理コンピュータではその送信されてきた検出信号に基づいて遊技場にとって不利益となる不利益球数を集計する。ところが、本実施例のように、カード処理機６２からの玉貸要求信号に基づいて玉タンク１５１内の貯留玉の一部を打球供給皿５９内に払出す方式のパチンコ遊技機においては、その遊技場にとって何ら不利益球数とはならない貸玉の補給樋１５２から玉タンク１５１に供給されることになり、その供給された貸玉が補給玉検出器により検出されてしまって不利益球数情報としてホール用管理コンピュータに入力されてしまい、ホール用管理コンピュータで正確な不利益球数を集計できない不都合が生ずる。そこで、本実施例のパチンコ遊技機においては、ホール用管理コンピュータに接続されているコネクタ１５５を補給装置１５３の補給玉検出器に接続されるコネクタ１５４から外して遊技機用ターミナルボックス１４９に接続されているコネクタ１５６に接続する。そして、パチンコ玉の入賞に基づいて払出される景品玉が所定個数ａ（たとえば１０個）に達するごとに払出制御基板から所定のパルス信号を出力しその所定のパルス信号が遊技機用ターミナルボックス１４９，コネクタ１５６，コネクタ１５５を介してホール用管理コンピュータに伝送されるように構成されている。このように構成することにより、パチンコ玉の貸出に関しては何ら不利益球数情報としてのパルス信号がホール用管理コンピュータに出力されることなく、入賞に伴う景品玉の払出に関してのみパルス信号がホール用管理コンピュータに送信され、ホール用管理コンピュータでは正確な不利益球数情報を集計できる。
　【００２３】
　遊技領域１２０内に打込まれ入賞口に入賞した入賞玉とアウトロに回収されたアウト玉は合流して打込玉タンク１５９に落下し、その打込玉が打込玉検出器（打込球カウンタ）１６０により検出された後島に設けられている集球樋１６１上に落下する。図中１８０は玉抜きソレノイドであり、この玉抜きソレノイドが払出制御基板からの制御信号により励磁されると開閉弁５３３（図１７参照）が開放されて玉タンク１５１内に貯留されているパチンコ玉が玉抜径路１を通って機外に排出される。この開閉弁は手動操作によっても開放可能に構成されている。なお、本実施例では打込玉検出器の出力が従来と同様にホール用管理コンピュータに直接入力されるように構成されているが、打込玉検出器の出力を一且払出制御基板に入力し、払出異常に基づく玉抜き処理が行なわれていないことを条件として、払出制御基板からホール用管理コンピュータに入力されるように構成してもよい。このようにすれば、正確な利益球数情報を集計することができる。なお、それに代えて玉抜きされたパチンコ玉が打込玉タンクに落下しないように構成してもよい。図中１５８，１５７は遊技機用ターミナルボックス１４９とホール用管理コンピュータとを接続するコネクタであり、後述する単位額売上信号（図２４のＳ９３を参照）がこのコネクタ１５８，１５７を介してホール用管理コンピュータに送信される。
　【００２４】
　図３は、パチンコ遊技機に設けられている前面板の裏面構造を示す構成図である。
　【００２５】
　パチンコ遊技機６０の前面側には、打球供給皿５９（図１参照）が設けられた前面板２が図示左側を回動中心として開閉自在に設けられている。前面板２の裏面側には、打球供給皿５９内のパチンコ玉を１つずつ打球発射位置にまで供給するための打球供給装置４が設けられている。さらに、前面板２の裏面側には、スピーカ１５を取付けるためのスピーカ取付板６、停止スイッチ２０を取付けるためのスイッチ取付板１２、中継基板１０が設けられている。この中継基板１０は、スピーカやスイッチや各種表示器４８ｄ，４６ｄ（図１参照）と中継端子基板１３８（図２参照）との電気的な接続を中継するものである。また、スピーカ取付板６にはスピーカの音量を調節するための音量調節部８が設けられている。なお、図中６２はカード処理機である。
　【００２６】
　図４は、打球供給皿におけるそれぞれ異なった位置の縦断面図である。図４の（ａ）は、図１に示す打球供給皿５９の図示左側におけるスピーカ１５が設けられている部分の縦断面図である。前面板２に設けられている景品玉出口３０から打球貯留部３４にパチンコ玉が払出される。この打球貯留部３４は打球供給皿主部材３２によって構成されている。この打球供給皿主部材３２の下方に打球供給皿補助部材３６が設けられており、この打球供給皿主部材３２と打球供給皿補助部材３６とによりスピーカを収納可能な空間部が形成されている。その空間部内にスピーカ１５がスピーカカバー１６を介して取付けられている。なお図中１７は音抜き用のスリットが形成されたスピーカ前面カバーである。
　【００２７】
　図４の（ｂ）は、図１に示した返却可ＬＥＤ４６ｄが設けられた打球供給皿５９の中央部分の縦断面図である。打球供給皿主部材３２で形成されている打球貯留部３４は（ｂ）に示すように幅が狭くなり、打球貯留部３４に貯留されているパチンコ玉を１列に整列させながら打球供給装置４４（図３参照）によるパチンコ玉の打球発射位置への供給が容易に行なえるように構成されている。打球供給皿補助部材３６の上方部分には、返却ボタン４２ｃと返却可ＬＥＤカバー４６ｃとが設けられている。返却ボタン４２ｃを押圧操作することによりこの返却ボタン４２ｃが押込まれて返却スイッチ（返却操作検出器）４２ｄがＯＮになる。返却可ＬＥＤカバー４６ｃの内側には返却可ＬＥＤ（返却可表示器）４６ｄが設けられており、この返却可ＬＥＤ（返却可表示器）４６ｄの点灯状態が遊技者に視認できるように構成されている。なお、図１に示す玉貸可ＬＥＤ４８ｄが設けられている位置の打球供給皿５９の縦断面図は図４の（ｂ）と同じ構造となる。すなわち、構造的には図４の（ｂ）と同じであり、返却ボタン４２ｃが貸玉ボタン４４ｃとなり、返却スイッチ（返却操作検出器）４２ｄが玉貸スイッチ（玉貸操作検出器）４４ｄとなり、返却可ＬＥＤカバー４６ｃが玉貸可ＬＥＤカバー４８ｃとなり、返却可ＬＥＤ（返却可表示器）４６ｄが玉貸可ＬＥＤ（玉貸可表示器）４８ｄとなる。
　【００２８】
　図４の（ｃ）は、図１に示す残金額表示器５０が設けられている位置の打球供給皿５９の縦断面図である。打球供給皿補助部材３６の上半分は透明装飾部材３８により構成されており、その透明装飾部材３８の外側をさらに透明装飾部材４０で覆っている。透明装飾部材３８の内側には残金額表示器（カード残高表示器）５０が設けられている。そしてこの残金額表示器（カード残高表示器）５０によって表示されるカード残高を透明装飾部材３８，４０を介して遊技者が視認できるように構成されている。
　【００２９】
　図５は、前面板の裏面側の要部を示す分解斜視図である。
　前面板２における図示右側端縁部分には、支軸孔２６が形成されている。この支軸孔２６にパチンコ遊技機６０側に設けられている支軸ピンが挿入され、さらに、支軸ピン２２を付勢スプリング２４に抗して上方に一旦引き上げてこの支軸ピン２２をパチンコ遊技機６０側に設けられている支軸ピン挿入孔に差込むことにより、前面板２がパチンコ遊技機６０に対し回動自在に取付けられる。なお、前面板２をパチンコ遊技機６０から取外す場合には、支軸ピン２２を付勢スプリング２４に抗して引き上げることによりパチンコ遊技機６０側に設けられている支軸ピン２２の挿入孔から支軸ピン２２を抜取り、その状態で支軸孔２６に上方から挿入されている支軸ピンを前面板２を下方に下げることにより抜取り、前面板２を取外す。また、中継基板１０はコネクタ２８によりコネクタ１４０（図２参照）に接続されている配線と接続可能であり、このコネクタ２８を引抜くことにより前面板２を完全にパチンコ遊技機６０から取外すことが可能となる。この中継基板１０とスイッチ取付板１２に取付けられている停止スイッチ２０とが電気配線により接続されており、さらに、中継基板１０と返却スイッチ（返却操作検出器）４２ｄ，玉貸スイッチ（玉貸操作検出器）４４ｄ，返却可ＬＥＤ（返却可表示器）４６ｄ，玉貸可ＬＥＤ（玉貸可表示器）４８ｄ，残金額表示器（カード残高表示器）５０とが電気配線により接続されている。
　【００３０】
　前面板２の裏面側には開口１８が形成されており、スピーカ取付板６に取付けられているスピーカカバー１６をこの開口１８から挿入した状態でスピーカ取付板６を前面板２の裏面側にビス等により取付固定する。なおこのスピーカカバー１６内にはスピーカ１５が設けられている。さらに、このスピーカ取付板６には、音量調節器１４が設けられており、前面板２を開放した状態でスピーカ取付板６の裏面側に覗いている音量調節部８を遊技場の係員が調整することによりスピーカの音量が調整される。
　【００３１】
　図６は、前面板の正面側の要部を示す分解斜視図である。
　前面板２の前面側には、打球貯留部３４を形成している打球供給皿主部材３２と打球供給皿補助部材３６とが取付けられる。さらに前面板２の裏面側には前述したようにスピーカカバー１６と音量調節器１４とが設けられているスピーカ取付板６が取付けられる。この前面板２の図示左上には、景品玉を打球貯留部３４に排出するための景品玉出口３０が形成されている。さらに、前面板２には、打球供給装置４（図３参照）を取付けるための打球供給装置取付開口５６，スピーカカバー１６を挿入するための開口１８，玉抜きレバー５２，玉抜き弁連動部材挿通口５８，玉抜き口５４が形成されている。玉抜きレバー５２を遊技者がスライド操作することにより、その玉抜きレバー５２の動きに連動して玉抜き弁連動部材挿通口５８に挿通されている玉抜き弁連動部材が動き、その動きに連動して打球貯留部３４に設けられている玉抜き弁が開き、打球貯留部３４上のパチンコ玉が玉抜き口５４を通って余剰玉受皿１２２内に抜取られる。なお図中２６は支軸孔であり、２２は支軸ピンである。
　【００３２】
　打球供給皿補助部材３６には、図示するように、残金額表示器（カード残高表示器）５０，玉貸スイッチ（玉貸操作検出器）４４ｄ，返却スイッチ（返却操作検出器）４２ｄ，返却可ＬＥＤ（返却可表示器）４６ｄ，玉貸可ＬＥＤ（玉貸可表示器）４８ｄが取付けられている。さらに、打球供給皿補助部材３６に取付けられたこれらの各種表示器や検出スイッチが透明装飾部材３８，４０によりカバーされる。この透明装飾部材３８，４０には、それぞれ対応する位置にＬＥＤカバー取付開口４６ａ，４６ｂ、ＬＥＤカバー取付開口４８ａ，４８ｂが設けられており、これらの開口に、返却可ＬＥＤカバー４６ｃ，返却ボタン４２ｃ，玉貸可ＬＥＤカバー４８ｃ，玉貸ボタン４４ｃが設けられる。そして、組付け状態では、返却可ＬＥＤ（返却可表示器）４６ｄが返却可ＬＥＤカバー４６ｃを介して遊技者が視認でき、玉貸可ＬＥＤ（玉貸可表示器）４８ｄが玉貸可ＬＥＤカバー４８ｃを介して遊技者が視認できる状態となり、返却ボタン４２ｃを押圧操作することにより返却スイッチ（返却操作検出器）４２ｄがＯＮになり、玉貸ボタン４４ｃを押圧操作することにより玉貸スイッチ（玉貸操作検出器）４４ｄがＯＮになる。
　【００３３】
　図６に示した打球供給皿補助部材３６に設けられている種々のスイッチや表示器が図５に示したコネクタ１４０を介して中継端子基板１３８に接続されるのである。
　【００３４】
　図７は、図２に示した入賞玉センサＡ（１７０ａ），Ｂ（１７０ｂ）に導かれるパチンコ玉の誘導径路を示す縦断面図である。
　【００３５】
　遊技領域１２０を形成している遊技板８１には、第１の入賞玉集合樋４５と第２の入賞玉集合樋４７とからなる入賞玉樋が２段に積層して形成されている。そして、始動入賞口１２５ａ，１２５ｂ，１２５ｃに入賞した入賞玉は第２の入賞玉集合樋４７に導かれて入賞玉センサＡ（１７０ａ）により検出される。一方、通常の入賞口や可変入賞球装置１２４内に入賞したパチンコ玉は、第１の入賞玉集合樋４５に導かれて入賞玉センサＢ（１７０ｂ）により検出される。
　【００３６】
　図８は、入賞玉処理機構４４５の構造および作用を説明するための断面図である。入賞玉センサＡ（１７０ａ），Ｂ（１７０ｂ）のそれぞれの脇には、排出ソレノイドＡ（１７１ａ），Ｂ（１７１ｂ）で揺動される揺動体２９ａ，２９ｂが設けられている。この揺動体２９ａ，２９ｂは、支軸３１ａ，３１ｂにより回動自在に取付けられており、それぞれにウエート３３ａ，３３ｂが設けられている。そして排出ソレノイドＢ（１７１ｂ）が図示のように励磁が解除されている状態では、ウエート３３ｂの自重により揺動体２９ｂが図示時計回り方向に回動している。その状態では、排出ソレノイドＢ（１７１ｂ）のアクチュエータ２５ｂが第１の入賞玉集合樋４５内に入込んだ状態となり、その入込んだアクチュエータ２５ｂにより入賞玉が入賞玉センサＢ（１７０ｂ）内で停止された状態となる。そして排出ソレノイドが励磁されると、図示左側の排出ソレノイドＡ（１７１ａ）のように、アクチュエータ２５ａが引寄せられて第２の入賞玉集合樋４７から退避した状態となるとともに、揺動体２９ａがアクチュエータ２５ａにより押上げられて図示時計回り方向に回動してその上方端から第１の入賞玉集合樋４７内に入り込む。そしてアクチュエータ２５ａにより支えられていた入賞玉が下方に落下するとともにその上方に位置する入賞玉が揺動体２９ａの上方端により支えられて保持される。以上のように、排出ソレノイドが１回励磁される毎に入賞玉が１個玉抜き径路１内に排出されて機外に排出される。
　【００３７】
　そして、第１の入賞玉集合樋４７に導かれた入賞玉が入賞玉センサＡ（１７０ａ）により検出されれば所定個数の景品玉が払出され、その払出が完了した段階で排出ソレノイドＡ（１７１ａ）を１回励磁して解除する。そして、次の入賞玉が第１の入賞玉集合樋４７に存在すれば再度入賞玉センサＡ（１７０ａ）により検出されて、前述と同様に所定個数の景品玉が払出される。また、第２の入賞玉集合樋４５に導かれた入賞玉は入賞玉センサＢ（１７０ｂ）により検出され、所定個数ｋ個（たとえば１５個）の景品玉が払出され、排出ソレノイドＢ（１７０ｂ）が励磁されて次の入賞玉があれば再度所定個数ｋ個の景品玉の払出が行なわれる。以上のように、入賞玉が連続して発生したとしても、揺動体２９ａ，２９ｂにより、景品玉の払出が終了した入賞玉だけ流下して未だに景品玉の払出が終了していない入賞玉については流下が阻止されて第１，第２の入賞玉集合樋４７，４５内に証拠玉として貯留された状態となるために、景品玉の払出個数をめぐるトラブルを防止できる利点がある。なお、証拠玉を貯留する代わりにマイクロコンピュータ等で入賞個数等を記憶しておき、その記憶値に基づいて払出制御を行なうようにしてもよい。その場合には、バックアップ電源を利用して記憶値が停電等で消去されないようにすることが望ましい。
　【００３８】
　なお、排出ソレノイドＡ（１７１ａ），Ｂ（１７１ｂ）が故障して励磁不能状態になれば、アクチュエータ２５ａまたは２５ｂが第１の入賞玉集合樋４７や第２の入賞玉集合樋４５に入込んだままの状態となるため、排出ソレノイド励磁指令信号が導出されたにもかかわらず、パチンコ玉が入賞玉センサＡ（１７０ａ）または入賞玉センサＢ（１７０ｂ）の内部で停止して入賞玉検出信号が継続して導出される状態となるのであり、この入賞玉センサの連続したＯＮ状態を検出して排出ソレノイドＡ（１７１ａ）またはＢ（１７１ｂ）が故障した旨の判定を行なって異常状態の報知を行うように構成されている。なお、入賞玉センサＡ（１７０ａ），Ｂ（１７０ｂ）はパチンコ玉の通過に伴って出力信号が所定の電圧から変化するいわゆる近接スイッチにより構成されているのであるが、この入賞玉検出センサＡ（１７０ａ），センサＢ（１７０ｂ）が断線した場合には出力信号の電圧が０Ｖとなるために、その０Ｖになった旨を検出して入賞玉センサＡ（１７０ａ），Ｂ（１７０ｂ）が断線した旨の判定を行ない報知をしてもよい。また、この入賞玉センサＡ（１７０ａ），Ｂ（１７０ｂ）がショートした場合には出力電圧が正常な電圧を超えた異常な電圧となってしまうのであり、その異常電圧を検出してショートした旨の判定を行ない、その旨の報知を行なうようにしてもよい。
　【００３９】
　図９（ａ），（ｂ），図１０は、玉払出器６３の内部構造を説明するための断面図である。
　【００４０】
　玉払出器６３には、景品玉を２列に整列させながら流下させるタンクレール６７（図２参照）からの景品玉を受入れる玉通過口６４ａ，６４ｂが形成されており、その玉通過口６４ａ，６４ｂにそのストッパ係止部７８が一部入込んだ払出スプロケット７４が設けられている。さらに、この払出スプロケット７４をロック状態およびロック解除状態に切換るための払出ソレノイド２２３が設けられており、払出ソレノイド２２３が励磁されることによりアクチュエータ２３２が図９における左方向に引寄せられてアクチュエータ２３２によるストッパ係止部７８の係止が解除されて払出スプロケット７４が回転可能な状態となる。この払出ソレノイド２２３，アクチュエータ２３２，ストッパ係止部７８，払出スプロケット７４により玉払出機構が構成されている。
　【００４１】
　この状態で、玉通過口６４ａ，６４ｂ内のパチンコ玉の自重により払出スプロケット７４が図示時計回り方向に回転する。そして払出スプロケット７４があるストッパ係止部７８からその次の隣のストッパ係止部７８までの回転角度だけ回転した状態でパチンコ玉が１個払出されるとともに、払出ソレノイド２２３の励磁が解除されて再びアクチュエータ２３２によるストッパ係止部７８の係止が行なわれて払出スプロケット７４が再度ロック状態となる。この払出スプロケット７４には、図１４の斜視図にも示すように、複数の玉載置部７６ａ，７６ｂが形成されており、一方の玉載置部７６ａにより玉通過口６４ａ内のパチンコ玉を保持し（図９の（ａ）参照）、他方の玉載置部７６ｂにより、玉通過口６４ｂ内のパチンコ玉を保持（図９の（ｂ）参照）できるように構成されている。
　【００４２】
　この玉払出器６３には、投受光器制御基板７０が設けられているとともに、その投受光器制御基板７０によって制御される受光素子６８ａ〜６８ｄと投光素子６７ａ〜６７ｄ（図１０参照）が設けられている。投光素子６７ａと受光素子６８ａとにより、玉通過口６４ａ内のパチンコ玉が存在するか否かの確認が行なわれるのであり、この受光素子６８ａにより玉通過口６４ａ内のパチンコ玉の存否を確認するための玉確認センサＡが構成されている。一方、投光素子６７ｂと受光素子６８ｂとにより、玉通過口６４ｂ内のパチンコ玉が存在するか否かの確認が行なわれるのであり、この受光素子６８ｂにより玉通過口６４ｂ内のパチンコ玉の存否を確認するための玉確認センサＢが構成されている。さらに、投光素子６７ｃと受光素子６８ｃとにより、玉通過口６４ａ内のパチンコ玉のうち前記玉払出機構によって払出されたパチンコ玉が計数されるのであり、この受光素子６８ｃにより玉通過口６４ａ内のパチンコ玉のうち前記玉払出機構によって払出されたパチンコ玉を計数するための玉計数センサＡが構成される。一方、投光素子６７ａと受光素子６８ｄとにおいて、玉通過口６４ｂ内のパチンコ玉であって前記玉払出機構に玉通過口されたパチンコ玉が計数されるのであり、この受光素子６８ｄにより、玉通過口６４ｂ内のパチンコ玉であって前記玉払出機構によって払出されたパチンコ玉を計数するための玉計数センサＢが構成される。
　そして、前記投光素子６７ａ，６７ｂと受光素子６８ａ，６８ｂとにより、前記玉払出機構により払出すべき玉を検出するための第１の玉検出手段が構成されている。また、前記投光素子６７ｃ，６７ｄと受光素子６８ｃ，６８ｄとにより、前記玉払出機構により払出された玉を検出する第２の玉検出手段が構成されている。なお、少なくとも投光素子６７ａ，６７ｂと受光素子６８ａ，６８ｂは、図９にも示すように、玉通過口６４ａ，６４ｂのセンターラインよりも図示右側に偏った位置に設けられており、玉の通過に伴って、繋がって流下する玉の区切り目をねらって確実に１個ずつ検出し得るように構成されている。また、図１０に示すように、投光素子６７ａ，６７ｂ，６７ｃ，６７ｄ同士が中央に配設されて隣接する投光素子同士が逆向きに配設され、受光素子６８ａ，６８ｂ，６８ｃ，６８ｄのほうが玉通過口６４ａ，６４ｂを挟んで左右に分散して配列されているために、投光素子からの投光が隣接した受光素子における隣の受光素子に誤って受光される不都合を防止し得る。また、図１０に示した投光素子６７ａ〜６７ｄが配設された位置に投光素子の代わりに受光素子６８ａ〜６８ｄをそれぞれ配設しても同じ利点を有する。
　【００４３】
　図１１および図１２は玉払出器６３による遊技玉の払出動作を説明するための動作説明図である。払出スプロケット７４が図９に示した状態から隣接するストッパ係止部７８に相当する回転角度（以下１ピッチ角度という）だけ回転した状態が図１１に示されている。図１１の（ａ）は玉通過口６４ａ内のパチンコ玉の状態を示し、（ｂ）は玉通過口６４ｂ内のパチンコ玉の状態を示している。図１１（ａ）で示すように、玉通過口６４ａのほうは、払出スプロケット７４のストッパ係止部７８と傾斜部４４４ａとの間隔ｔ１が比較的広いために、払出スプロケット７４が図９の状態から１ピッチ角度分回転して図１１の状態になった段階で玉通過口６４ａ内のパチンコ玉が１個下方に払出される。
　【００４４】
　一方、玉通過口６４ｂのほうは、図１１の（ｂ）で示すように、ストッパ係止部７８と傾斜部４４４ｂとの間隔ｔ２が比較的狭いために、払出スプロケット７４が図９の状態から１ピッチ角度分回転したとしても、図示するように未だに払出スプロケット７４によりパチンコ玉が保持された状態であり、この状態ではパチンコ玉が払出されない。
　【００４５】
　払出スプロケット７４が図１１に示す状態からさらに１ピッチ角度だけ回転した状態が図１２に示されている。この状態では、玉通過口６４ａ内のパチンコ玉は（ａ）に示すように払出スプロケット７４により係止保持されているために下方に払出されないが、玉通過口６４ｂ内のパチンコ玉は（ｂ）に示すように下方に払出される。そして、払出スプロケット７４の回転によって下方に払出されたパチンコ玉は図示するように玉計数センサＡ（６８ｃ），玉計数センサＢ（６８ｄ）によって検出される。このようにして、払出スプロケット７４が１ピッチ角度だけ回転することにより玉通過口６４ａ，６４ｂのいずれかから交互にパチンコ玉が１個ずつ排出される。
　【００４６】
　図１３は、玉払出器６３の内部構造を説明するための分解斜視図である。
　玉払出器６３は、主に、組付ベース１０７と後方ベース１０６と中間ベース１０５と払出ソレノイド２２３と投受光器制御基板７０とからなり、それらの部品が組立てられた状態で組付カバー体１０２内に収納される。図中１１０，１１１は、組立てられた玉払出装置６３を組付カバー体１０２内に収納して組付カバー体１０２に固定するための取付ビスである。
　【００４７】
　組付ベース１０７には、玉通過口６４ａとソレノイド取付空間１１２と支軸１０９などが設けられている。また、支軸１０９が払出スプロケット７４の軸穴２１４に挿入された状態で払出スプロケット７４が支軸１０９に回転自在に外嵌される。この払出スプロケット７４は、複数のストッパ係止部７８と複数の通過玉載置部７６ａ，７６ｂが形成されている。なお図中２１６は空部である。さらに、組付ベース１０７には、投受光器制御基板７０を取付けるための基板取付部１１３ａと玉払出器６３の一方の側面となる外壁１０８とを有する。さらにこの基板取付部１１３ａには、カバー挿入口９７，９８が設けられており、投光素子や受光素子を収納するための透明のセンサカバー８８，８９がこのカバー挿入口９７，９８に挿入されて保持されるように構成されている。
　【００４８】
　前記払出ソレノイド２２３には、引張バネ９６が設けられており、この引張バネ９６の復元力によりストッパ板２３２が組立状態における払出スプロケット７４側に押しつけられ、払出ソレノイド２２３の励磁によってその引張バネ９６の復元力に抗してストッパ板２３２が払出スプロケット７４から遠ざかる方向に引寄せられる。
　【００４９】
　このストッパ板２３２の下方端にはストッパ２３４が形成されており、払出ソレノイド２２３の励磁が解除されている状態でこのストッパ２３４が払出スプロケット７４のストッパ係止部７８に係止され、払出ソレノイド２２３が励磁されたことに伴ってストッパ板２３２が引寄せられてストッパ２３４のストッパ係止部７８への係止が解除される。この払出ソレノイド２２３のソレノイド取付板６６には、取付板部２２０が設けられており、ソレノイド取付空間１１２の取付部２２２にこの取付板部２２０を当接させた状態でビスにより払出ソレノイド２２３を組付ベース１０７に取付ける。
　【００５０】
　中間ベース１０５は、組付ベース１０７の玉通過口６４ａの側面を蓋する状態で組付ベース１０７に固定される。中間ベース１０５には、位置決め凸部２０８ａ，２０８ｂが形成されており、この位置決め凸部２０８ａ，２０８ｂが組付ベース１０７に形成されている位置決め凹部２０６ａ，２０６ｂに嵌合し、中間ベース１０５が組付ベース１０７に位置決め固定される。この組付ベース１０７に固定された状態で、中間ベース１０５に形成されているカバー挿入溝９４と組付ベース１０７に形成されているカバー挿入口９７とにセンサカバー８８を挿入保持させることが可能となる。一方、中間ベース１０５に形成されているカバー挿入溝９５と組付ベース１０７に形成されているカバー挿入口９８にセンサカバー８９を挿入させて保持可能となる。
　【００５１】
　後方ベース１０６には、玉通過口６４ｂが形成されており、この玉通過口６４ｂの側面が前記中間ベース１０５により蓋されるように後方ベース１０６を組付ベース１０７に組付けて固定する。この組付状態で、後方ベース１０６に形成されているカバー挿入口８６と中間ベース１０５に形成されているカバー挿入溝１２０とに透明のセンサカバー１００を挿入して保持可能となる。さらに後方ベース１０６に形成されているカバー挿入口８７と中間ベース１０５に形成されているカバー挿入溝９６とに透明のセンサカバー１０１を挿入して保持可能となる。
　【００５２】
　投受光器制御基板７０には、複数の投光素子（投光器）６７ａ〜６７ｄと複数の受光素子（玉確認センサおよび玉計数センサ）６８ａ〜６８ｄが設けられており、この投受光器制御基板７０を組付ベース１０７と後方ベース１０６との組立状態で形成される基板取付部１１３ａ，１１３ｂの凹部にビス止固定する。投受光器制御基板７０がこのようにビス止固定されることにより、投受光器制御基板７０に設けられている受光素子（玉確認センサＢ）６８ｂがセンサ挿通孔８４に挿入され、受光素子（玉計数センサＢ）６８ｄがセンサ挿通孔８２に挿入され、投光素子（投光器）６７ａ（図１０参照）がセンサ挿通孔８５に挿入され、投光素子（投光器）６７ｄ（図１０参照）がセンサ挿通孔８３に挿入され、投光素子（投光器）６７ａ（図１０参照）がセンサ挿通孔９１に挿入され、受光素子（玉確認センサＡ）６８ａ（図１０参照）がセンサ挿通孔９０に挿入され、投光素子（投光器）６７ｃ（図１０参照）がセンサ挿通孔９３に挿入され、受光素子（玉計数センサＡ）６８ｃがセンサ挿通孔９２に挿入される。このように、各センサ挿通孔に挿入された投受光素子は、玉通過口６４ａ，６４ｂのそれぞれを両脇から挟んだ状態に配置されることになり、投光素子から投光された光が玉通過口６４ａ，６４ｂを横切って受光素子に受光される状態となる。なお、各センサ挿通孔８２〜８５，９０〜９３には、投受光素子に形成されている突起部分が挿入できるようにするための切欠部２１８が形成されている。また図中２５６は配線収納溝であり、７２は中継端子基板１３５と接続するための接続端子である。なお、投受光器制御基板７０には、長期の使用により投受光素子がゴミ等により汚れたりセンサカバー８８，８９，１００，１０１が汚れたりして受光素子の受光量が低下した場合には、その受光素子の感度を適正な値に自動調整したり、または投光素子の投光量を適当な強さに自動調整したりする機能を有する。
　【００５３】
　後方ベース１０６は、図１４に示すように、位置決め凹部２１２ａ，２１２ｂが形成されており、この位置決め凹部２１２ａ，２１２ｂに中間ベース１０５の位置決め凸部２１０ａ，２１０ｂが嵌合され、後方ベース１０６と中間ベース１０５との位置決めが可能となる。
　【００５４】
　組付ベース１０７の上面には嵌合突起２０２ａ，２０２ｂが形成されているとともに、組付ベース１０７の底面には図示されてないが嵌合突起２０３ａ，２０３ｂが形成されている。一方、組付カバー体１０２には、その上面に嵌合開口２００ａ，２００ｂが形成されているとともに、図１５に示すように、その底面にも嵌合開口２０１ａ，２０１ｂが形成されている。さらに、図１５に示すように、組付カバー体１０２には、位置決めピン２５２とソレノイド位置決め部２４８，２５０が形成されている。玉払出器６３を組立てた状態で、組付ベース１０７を組付カバー体１０２に組付るに際し、組付ベース１０７に形成されている位置決め穴２５４に組付カバー体１０２の位置決めピン２５２が挿入されて組付カバー体と組付ベース１０７との両者間での位置決めができる。その状態で組付ベース１０７を組付カバー体１０２内に押込むことにより、ソレノイド位置決め部２４８，２５０により払出ソレノイド２２３が位置決めされるとともに、嵌合突起２０２ａ，２０２ｂが嵌合開口２００ａ，２００ｂに嵌合保持され、かつ、組付ベース１０７側のもう一方の嵌合突起２０３ａ，２０３ｂが組付カバー体１０２側の嵌合開口２０１ａ，２０１ｂに嵌合保持され、組付カバー体１０２への組付が完了する。玉払出器６３の組付カバー体１０２への組付状態で、組付カバー体１０２における玉通過口６４ａ，６４ｂに相当する部分に、玉通過口２０４ａ，２０４ｂが形成されており、この玉通過口２０４ａ，２０４ｂからパチンコ玉が玉通過口６４ａ，６４ｂに進入できるように構成されている。
　【００５５】
　図１６は、払出ソレノイド２２３の構造を説明するための分解斜視図である。
　払出ソレノイド２２３のコイル２２６は、ソレノイド取付板６６の取付板部２４６にコイル取付部２２４を介して取付られる。また、コイル２２６のピン挿通孔２２８にピン２３０が挿入された状態で取付板部２４６に取付けられる。ソレノイド取付板６６には、保持板部２４０が形成されており、切欠溝２３６がこの保持板部２４０に挿入された状態でストッパ板２３２がソレノイド取付板６６に所定角度揺動できるように取付けられる。
　【００５６】
　ソレノイド取付板６６にはバネ係止片２４４が形成されており、このバネ係止片２４４とソレノイド取付板６６への取付状態におけるストッパ板２３２のバネ係止片２３８との間にわたって引張バネ９６が取付けられる。この状態で、コイル２２６が励磁されることにより、その磁力によって引張バネ９６の復元力に抗してストッパ板２３２がピン２３０側に引寄せられる。このコイル２２６の励磁を解除することにより、引張バネ９６の復元力によりストッパ板２３２がピン２３０から遠ざかる方向に揺動される。その状態で、ストッパ板２３２のストッパ２３４が前述したように払出スプロケット７４のストッパ係止部７８に係止される。一方、コイル２２６が励磁されてストッパ板２３４がピン２３０側に引寄せられることにより、ストッパ板２３４のストッパ係止部７８への係止が解除される。なお、図中２２０は払出ソレノイド２２３を組付ベース１０７側に取付けるための取付板部である。
　【００５７】
　図１７および図１８は、パチンコ玉の玉抜き部分の構造および動作を説明するための要部構成図である。
　【００５８】
　図１７は、玉抜きを行なわない通常時の状態を示し、図１８は玉抜きを開始したときの状態を示している。図中５３１は、図２に示すタンクレール６７の景品玉流下下出側に位置する屈曲樋であり、景品玉が水平方向に２列になって流下できるように構成されている。この屈曲樋５３１の屈曲部分には、開閉面５３３が設けられており、この開閉面５３３が支軸５３４を中心に回動して屈曲樋５３１を開閉できるように構成されている。なお図中５３５はウエイトである。そして、通常時は、付勢スプリング５４１の復元力によって係止片部５３９が図示時計回り方向に付勢されて係止片部５３９が係合部５３６に係合した状態となっているため、開閉面５３３の図示反時計回り方向の回動が阻止されて屈曲樋５３１が閉成された状態となる。
　【００５９】
　一方、前面枠６３０に設けられている図示しない操作穴から図示しない操作ピンを挿入して遊技場の係員が操作することにより作動部材５４４が図１７で示す矢印の方向に押上げられ、その作動部材５４４に連動している押圧杵５４３が上方に押上げられて押圧部５４０が上方に押上げられる。その結果、係合片部５３９が図示反時計回り方向に回動して係合片部５３９と係合部５３６との係合が解除される。すると図１８に示すように、開閉面５３３がタンクレール６７や屈曲樋５３１に存在するパチンコ玉の玉圧により、図示反時計回り方向に回動して屈曲樋５３１が開放されてパチンコ玉が玉抜き口５３２ａから玉抜き径路５８１に抜き取られて機外に排出される。
　【００６０】
　また、玉抜き作動信号によりソレノイド１８０が一定微少時間励磁されることにより、図１８に示すように作動部材５３７が押下げられ、係合片部５３９が図示時計回り方向に回動して係合片部５３９と係合部５３６との係合が解除され、前述と同様にパチンコ玉が玉抜き径路５８１内に抜き取られる。なお、開閉面５３３は作動部材５４４が復帰したり、玉抜きソレノイド１８０の励磁が解除されたとしても、付勢スプリング５４１によって図示時計回り方向に付勢されている係合片部５３９が係合部５３６の下側に入り込むために、開閉面５３３がそのまま開放された姿勢で保持される。そして、玉抜き終了の後、作動部材５４４を再度作動させたり玉抜きソレノイド１８０を再度一定微少時間励磁すると係合片部５３９が係合部５３６の下側から抜き出るためウエイト５３５の作用により開閉面５３３が図示時計回り方向に回動し、図１７に示すように係合片部５３９による係合部５３６への係合が行なわれて開閉面５３３が閉成姿勢で保持される。
　【００６１】
　以上説明したように、パチンコ玉が玉払出器６３の玉流下上手側から抜取られるため玉払出器６３の故障時に次のような利点がある。つまり玉払出器６３の故障時には玉払出器６３を取替える等の修復作業を行なう必要があるが、玉払出器６３の玉流下下手側から玉を抜取る場合には、手動操作等を行なって、玉タンク１５１内のパチンコ玉をすべて玉払出器６３を通過させて抜取った後でなければ玉払出器６３の取替え作業が行なえないのであるが、玉払出器６３の玉流下上手側からパチンコ玉を抜取る場合には、その玉抜取り箇所から下手側に残っているパチンコ玉のみを玉払出器６３を通して抜取るのみで玉払出器６３の取替え作業を行なう前に必要となる玉の抜取り処理が完了するのであり、玉払出器６３の取替えを行なう場合に必要となる玉の抜取り処理が迅速かつ簡単に行なえるのである。
　【００６２】
　図１９は、カード処理機制御部の制御回路を示すブロック図である。
　カード処理機制御部１３５（図２参照）にはカード処理機制御用マイクロコンピュータ３００が組込まれている。カード処理機制御用マイクロコンピュータ３００は以下に述べるような各種機器の動作を制御する機能を有する。このため、カード処理機制御用マイクロコンピュータ３００は、たとえば数チップのＬＳＩで構成されており、その中には制御動作を所定の手順で実行することのできるＣＰＵ３０１と、ＣＰＵの動作プログラムデータを格納するＲＯＭ３０２と、必要なデータの書込および読出ができるＲＡＭ３０３とが含まれる。
　【００６３】
　さらに、カード処理機制御用マイクロコンピュータ３００は、入力信号を受けてＣＰＵ３０１に入力データを与えるとともに、ＣＰＵ３０１からの出力デー夕を受けて外部に出力する入出力回路３０４と、電源投入時にＣＰＵ３０１にリセットパルスを与えるパワーオンリセット回路３０５と、ＣＰＵ３０１にクロック信号を与えるクロック発生回路３０６と、クロック発生回路３０６からのクロック信号を分周してリセットパルスを定期的（たとえば２ｍｓｅｃ毎）にＣＰＵ３０１に与えるパルス分周回路（定期リセット回路）３０７と、ＣＰＵ３０１からのアドレスデータをデコードするアドレスデコード回路３０８とが含まれる。
　【００６４】
　アドレスデコード回路３０８はＣＰＵ３０１からのアドレスデータをデコードし、ＲＯＭ３０２，ＲＡＭ３０３，入出力回路３０４にそれぞれチップセレクト信号を与える。
　【００６５】
　なお、この実施例では、ＲＯＭ３０２には、その内容の書換え、すなわち必要が生じた場合には、その中に格納されたＣＰＵ３０１のためのプログラムデータを変更することができるようにプログラマブルＲＯＭが用いられている。そして、ＣＰＵ３０１からこのＲＯＭ３０２内に格納されたプログラムデータに従って、かつ以下に述べる各制御信号の出力に応答して、種々の機器に対して制御信号を与える。
　【００６６】
　カード処理機制御用マイクロコンピュータ３００は、入力信号として、次のような信号が与えられる。
　【００６７】
　遊技場の係員が貸玉額設定スイッチ１３７（図２参照）を操作して貸玉額を設定することにより、その設定信号が検出回路３０９を介してカード処理機制御用マイクロコンピュータ３００に入力される。遊技場の係員が端数表示スイッチ１３６（図２参照）を操作することにより、そのスイッチ操作信号が検出回路３０９を介してカード処理機制御用マイクロコンピュータ３００に入力される。遊技者が貸玉ボタン４４ｃ（図１参照）を押圧操作すれば、その押圧操作が玉貸操作検出器４４ｄにより検出され、その検出信号が中継端子基板１３８，検出回路３０９を介してカード処理機制御用マイクロコンピュータ３００に入力される。遊技者が返却ボタン４２ｃ（図１参照）を押圧操作すれば、その押圧操作が返却操作検出器４２ｄにより検出され、その検出信号が中継端子基板１３８，検出回路３０９を介してカード処理機制御用マイクロコンピュータ３００に入力される。カードリーダライタ制御部１３４（図１，図２参照）から、後述するカード受付信号，カード異常信号，カード処理完了信号が入力される。
　【００６８】
　払出制御用マイクロコンピュータ３５０から中継端子基板１３８，情報入力回路３１２を介して、後述する払出可能信号，玉貸準備信号，貸玉完了信号が入力される。この情報入力回路３１２はフォトカプラが内蔵されており、払出制御用マイクロコンピュータ３５０からの前述した各種信号がフォトカプラを介してカード処理機制御用マイクロコンピュータ３００に入力される。このようにフォトカプラを介して信号が入力されるために、払出制御用マイクロコンピュータ３５０に発生した故障による悪影響がカード処理機制御用マイクロコンピュータ３００にまで及ばないために、払出制御用マイクロコンピュータ３５０の故障に起因してカード処理機制御用マイクロコンピュータ３００まで故障してしまうという不都合が極力防止できる。
　【００６９】
　次に、カード処理機制御用マイクロコンピュータ３００は以下の回路や機器に対して制御信号を出力する。
　【００７０】
　ＬＥＤ駆動回路３１０，中継端子基板１３８を介して、玉貸可表示器４８ｄ，返却可表示器４６ｄ，カード残高表示器５０（図１参照）にそれぞれ表示用制御信号を出力する。ＬＥＤ駆動回路３１０を介して挿入時残高表示器１３１（図１参照）に表示用制御信号を与える。ランプ駆動回路３１１を介して、カード挿入表示器１３２，処理器使用可表示器１３０にそれぞれ表示用制御信号を与える。カードリーダライタ制御部１３４（図１，図２参照）に、後述する現在の残高データ，カード書込排出指令信号，残高ゼロデータ，カード回収指令信号を出力する。中継端子基板１３８を介して払出制御用マイクロコンピュータ３５０に、後述する玉貸要求信号を出力する。カード処理機用ターミナルボックス３２０を介して玉貸カード集中管理コンピュータに後述する単位額売上信号を出力する。この玉貸カード集中管理コンピュータは、玉貸カードの発行会社等に設置されている集中管理コンピュータであり、日本全国の各遊技場に設置されているカード処理機６２に対しカード処理機用ターミナルボックス３２０を介して通信回線により接続されている。
　【００７１】
　図２０は、払出制御基板ボックス１４５（図２参照）に収納されている払出制御基板の払出制御回路を示すブロック図である。
　【００７２】
　払出制御回路には払出制御用マイクロコンピュータ３５０が設けられている。この払出制御用マイクロコンピュータ３５０は、図１９のカード処理機制御用マイクロコンピュータ３００と同様に、ＣＰＵ３５１，ＲＯＭ３５２，ＲＡＭ３５３，パワーオンリセット回路３５５，クロック発生回路３５６，パルス分周回路３５７，アドレスデコード回路３５８，入出力回路３５４を含んでおり、ここでは説明の繰返しを省略する。なお、この払出制御用マイクロコンピュータ３５０は、前述した各種回路がワンチップ化されたワンチップマイクロコンピュータで構成されている。
　【００７３】
　払出制御用マイクロコンピュータ３５０には、入力信号として次のような信号が与えられる。
　【００７４】
　遊技場の係員がリセットボタン１４７（図２参照）を押圧することによりリセットスイッチ１４７がＯＮになり検出回路３５９からリセット操作検出信号が払出制御用マイクロコンピュータ３５０に入力される。余剰玉受皿１２２（図１参照）が満杯となり満タンスイッチ１６２（図２参照）がＯＮになればそのＯＮ信号が検出回路３６０を介して払出制御用マイクロコンピュータ３５０に与えられる。玉通過口６４ａ（図１０参照）内にパチンコ玉が存在する場合には、投光器（投光素子）６７ａからの投光が遮られて玉確認センサＡ（６３ａ）で受光されなくなり、玉が存在することが確認できるのであり、その確認信号が中継端子基板１３８，検出回路３６０を介して払出制御用マイクロコンピュータ３５０に入力される。同様に、玉通過口６４ｂ（図１０参照）にパチンコ玉が存在することが玉確認センサＢ（６８ｂ）により検出されてその検出信号が中継端子基板１３８，検出回路３６０を介して払出制御用マイクロコンピュータ３５０に入力される。一方、玉通過口６４ａ内のパチンコ玉が払出スプロケット７４（図１０参照）の回転により払出されればその払出されたパチンコ玉により投光器（投光素子）６７ｃからの投光が遮られて玉計数センサＡ（６８ｃ）で受光されなくなり、玉が払出されたことが検出されるのであり、その検出信号が中継端子基板１３８，検出回路３６０を介して払出制御用マイクロコンピュータ３５０に与えられる。同様に、玉通過口６４ｂ（図１０参照）内のパチンコ玉が払出スプロケット７４の回転により下方に払出されれば、その払出されたパチンコ玉が玉計数センサＢ（６８ｄ）により検出され、その検出信号が中継端子基板１３８，検出回路３６０を介して払出制御用マイクロコンピュータ３５０に与えられる。なお、検出回路３６０において、玉確認センサＡ（６８ａ）と玉確認センサＢ（６８ｂ）との検出信号をアンドゲートを介して払出制御用マイクロコンピュータ３５０に入力するようにしてもよい。このようにすれば、玉確認センサＡ（６８ａ）によるパチンコ玉の存在することの確認信号と玉確認センサＢ（６８ｂ）によるパチンコ玉が存在することの確認信号との両信号が共に検出回路３６０に入力された場合にのみパチンコ玉が存在することの確認信号が払出制御用マイクロコンピュータ３５０に与えられることになる。
　【００７５】
　入賞玉処理機構４４５の入賞玉センサＡ（１７０ａ），Ｂ（１７０ｂ）が入賞玉を検出すれば、その検出出力が検出回路３６０を介して入力される。タンク玉センサ１５０による玉タンク１５１内の玉の有無が検出され（図２参照）、その検出出力が遊技機用ターミナルボックス１４９，検出回路３６０を介して入力される。ゲーム制御基板ボックス１４８（図２参照）内に収納されているゲーム制御基板に設けられているゲーム制御用マイクロコンピュータ３７０から中継端子基板１３８，情報入力回路３６５を介し、後述するパチンコ玉の入賞信号が払出制御用マイクロコンピュータ３５０に入力される。カード処理機制御用マイクロコンピュータ３００から中継端子基板１３８，情報入力回路３６５を介して、玉貸要求信号が入力される。この情報入力回路３６５にはフォトカプラが設けられており、ゲーム制御用マイクロコンピュータ３７０とカード処理機制御用マイクロコンピュータ３００から入力される前述した信号がそのフォトカプラを介して払出制御用マイクロコンピュータ３５０に入力される。その結果、ゲーム制御用マイクロコンピュータ３７０とカード処理機制御用マイクロコンピュータ３００とに発生した故障の悪影響が払出制御用マイクロコンピュータ３５０にまで及ぶことを防止でき、ゲーム制御用マイクロコンピュータ３７０またはカード処理機制御用マイクロコンピュータ３００に発生した故障に起因して払出制御用マイクロコンピュータ３５０も故障してしまうという不都合を極力防止できる。
　【００７６】
　次に、払出制御用マイクロコンピュータ３５０は以下の回路や機器に対し次のような制御信号を出力する。
　【００７７】
　ＬＥＤ駆動回路３６１を介して、投光器６７ａ〜６７ｄにそれぞれ投光器制御用信号を出力する。またＬＥＤ駆動回路３６１を介してエラー原因表示器１４６（図２参照）にエラー原因表示用制御信号を与える。ソレノイド駆動回路３６２を介して払出ソレノイド２２３（図９参照）にソレノイド励磁用制御信号を出力する。玉確認センサおよび玉計数センサ６８ａ〜６８ｄ，各投光器６７ａ〜６７ｄならびに払出ソレノイド２２３は玉払出器６３に設けられている。
　【００７８】
　ソレノイド駆動回路３６２を介して排出ソレノイドＡ（１７１ａ），Ｂ（１７１ｂ）（図８参照）にそれぞれソレノイド励磁用制御信号を出力する。各入賞玉センサ１７０ａ，１７０ｂと各排出ソレノイド１７１ａ，１７１ｂが入賞玉処理装置４４５に設けられている。ソレノイド駆動回路３６２を介して玉抜きソレノイド１８０（図２参照）にソレノイド励磁用制御信号を与える。ランプ駆動回路３６３，遊技機制御用ターミナルボックス１４９を介して払出ランプ１２６（図１参照）に払出ランプ点灯用制御信号を与える。情報出力回路３６４，遊技機制御用ターミナルボックス１４９を介してホール用管理コンピュータに、後述する単位額売上信号，景品玉払出信号を出力する。この情報出力回路３６４にはリレースイッチが設けられており、遊技機制御用ターミナルボックス１４９に出力される前述した各種信号がこのリレースイッチを介して出力される。その結果、払出制御系に発生した故障の悪影響がホール用管理コンピュータにまで及ぶことが防止され、払出制御系に発生した故障に起因してホール用管理コンピュータまで故障してしまう不都合を極力防止できる。前記玉確認センサＡ（６８ａ），Ｂ（６８ｂ）や玉計数センサＡ（６８ｃ），（６８ｄ）により、前記玉払出機構による玉の払出しを検出する玉払出検出手段が構成されている。
　【００７９】
　図２１および図２２は、図１９に示した制御回路の動作を説明するためのフローチャートである。
　【００８０】
　ステップＳ（以下単にＳと言う）１により、カード処理機が正常か否かの自己診断を行なう。診断した結果異常があればＳ２に進み、異常が発生した箇所をカード残高表示器５０（図１参照）によりコードで表示する。具体的には、カードリーダライタの故障，信号線の断線，カード処理機用ターミナルボックスとの通信の不能等をコード表示する。一方、自己診断の結果異常がないと判断されればＳ３に進み、貸玉額の設定読込，端数表示モードの読込が行なわれる。この「貸玉額設定読込」とは、図２で示した貸玉額設定スイッチ１３７より設定された貸玉額をカード処理機制御用マイクロコンピュータ３００に読込む処理であり、「端数表示モード読込」とは、図２で示した端数表示スイッチで入力設定された端数表示モードをカード処理機制御用マイクロコンピュータに読込むための処理である。端数表示スイッチ１３６により１００円未満の端数を表示するモードに設定されておれば、その設定モードがカード処理機制御用マイクロコンピュータに読込まれて、図２で説明した端数表示制御が行なわれる。
　【００８１】
　次にＳ４に進み、払出制御用マイクロコンピュータから払出可能信号が入力されたか否かの判断が行なわれ、入力されるまで待機する。払出制御用マイクロコンピュータでは、後述する玉確認センサＡ，Ｂがともに玉有を検出し、満タン状態でなく、タンク玉センサが玉を検出している場合に払出可能信号をカード処理機制御用マイクロコンピュータに出力するのであり（払出制御用マイクロコンピュータからの出力処理はフローチャートを省略している）、カード処理機制御用マイクロコンピュータではそれを受けてＳ４によりＹＥＳ判断を行なう。なお、Ｓ４においてＮＯの判断がなされた場合には、払出可能信号がない旨をカード残高表示器にコード表示するようにしてもよい。次にＳ５に進み処理機使用可表示器１３０（図１参照）を点灯させて使用可能である旨の表示を行なう。次にＳ６に進み、カードリーダライタ制御部からカード受付信号があったか否かの判断が行なわれ、ない場合にはＳ７に進み、カードリーダライタ制御部からカード異常信号があったか否かの判断がなされ、ない場合には再びＳ６に戻る。このループの巡回途中で、カードリーダライタが適正なカードを受付ければ、カードリーダライタ制御部からカード受付信号があった旨の判定が行なわれて、Ｓ９に進む。一方、カードリーダライタ制御部からカード異常信号の出力があれば、Ｓ７によりＹＥＳ判断がなされＳ８に進み、カード異常原因をカード残高表示器５０（図１参照）にコードで表示する制御が行なわれる。具体的には、挿入されたカードの読取不能，セキュリティエラー等の異常原因の種類を示すコードがカード残高表示器５０により表示される。一方、Ｓ９ではカード挿入表示器１３２，玉貸可表示器４８ｄ，返却可表示器４６ｄ（図１参照）を点灯させ、挿入時残高表示器１３１により挿入時のカード残高の表示を行ない、カード残高表示器５０により現時点でのカードの残高の表示を行なう処理がなされる。次にＳ１０に進み、玉貸操作があったか否かの判断がなされ、ない場合にはＳ１１に進み、返却操作があったか否かの判断が行なわれ、ない場合にＳ１０に戻る。そして、遊技者が返却ボタン４２ｃ（図１参照）を押圧操作すればＳ１２に進み、玉貸可表示器４８ｄを消灯してＳ２７に進み以降の挿入カードの返却のための制御が行なわれる。一方、遊技者が玉貸ボタン４４ｃ（図１参照）を押圧操作すれば、Ｓ１３に進み、挿入カードの現在残高すなわちカード残高表示器５０（図１参照）に表示されている残高が貸玉額設定スイッチ１３７（図２参照）で設定された設定額以上であるか否かの判断が行なわれる。そして、現在残高が設定額以上であった場合にはＳ１４により貸玉額にその設定額をセットする処理がなされてＳ１６に進む。一方、現在残高が設定額未満であった場合にはＳ１５により貸玉額に現在残高をセットした後にＳ１６に進む。つまり、挿入カードの現在残高が設定額に満たない場合には、その設定額を貸玉額にセットしてその設定額分のパチンコ玉を払出すわけにはいかないため、挿入カードによって払出が可能な最高金額すなわち挿入カードの現在残高を貸玉額にセットする処理がなされるのである。
　【００８２】
　次にＳ１６では、玉貸可表示器４８ｄ（図１参照）を消灯する処理がなされる。一旦玉貸操作がなされてそれに基づく玉貸動作が完了するまでは次の玉貸操作を受付けないようにしているために、後述するＳ４０により玉貸可表示器が点灯されるまでは玉貸可表示器４８ｄを消灯して玉貸操作ができない旨を表示するのである。次にＳ１７に進み、払出制御用マイクロコンピュータに玉貸要求信号の出力を開始する制御がなされる。次にＳ１８に進み、タイマＴ１がセットされ、Ｓ１９に進み、払出制御用マイクロコンピュータから玉貸準備信号が入力されたか否かの判断がなされる。払出制御用マイクロコンピュータでは、Ｓ１７による玉貸要求信号を受けて、玉貸が可能な状態であれば玉貸のための準備制御を行なった後にＳ５５によりカード処理機制御用マイクロコンピュータに玉貸準備信号を出力する処理がなされる。カード処理機制御用マイクロコンピュータがＳ１８によりセットされたタイマＴ１が終了する以前にこの玉貸準備信号を受信すれば、Ｓ１９によりＹＥＳ判断がなされ、払出制御用マイクロコンピュータの玉貸が終了した旨の信号の送信を待機する処理がなされる。一方、Ｔ１が終了するまで払出制御用マイクロコンピュータから玉貸準備信号が入力されなかった場合にはＳ２２に進み、玉貸要求信号の出力を停止し、貸玉額をクリアする処理がなされてＳ１０に進む。パチンコ遊技機６０が既に貸玉の払出を行なっている場合や入賞に伴う景品玉の払出を行なっている場合には、後述するＳ５１，Ｓ５２，Ｓ５４，Ｓ５５の処理が行なわれないために、Ｔ１が終了するまで払出制御用マイクロコンピュータから玉貸準備信号の出力がなされないのであって、その場合にはＳ２２による処理が行なわれるのである。なお、このＴ１は、たとえば１０ｍｓｅｃ以上で１０ｓｅｃ以下程度の時間である。一方、このＴ１が終了する以前でかつ払出制御用マイクロコンピュータから玉貸準備信号の入力がなくかつ遊技者が返却ボタン４２ｃを押圧操作した場合には、Ｓ２３に進み、タイマＴ２がセットされる。そしてＳ２４により、払出制御用マイクロコンピュータから玉貸準備信号の入力があったか否かの判断がなされ、タイマＴ２が終了する以前において払出制御用マイクロコンピュータから玉貸準備信号の入力があった場合にはＳ２９に進むが、タイマＴ２が終了するまで払出制御用マイクロコンピュータから玉貸準備信号の入力がなかった場合にはＳ２６に進み、挿入カードの返却を行なうための制御が行なわれる。このタイマＴ２はたとえば数百ｍｓｅｃ程度の時間であり、返却操作ボタン４２ｃ（図１参照）が押圧操作された後Ｔ２（数百ｍｓｅｃ）の間に玉貸準備信号が払出制御用マイクロコンピュータからカード処理機制御用マイクロコンピュータに入力されないことを確認したうえでＳ２６以降の返却動作に移行する。このように、返却ボタンが押圧操作された後実際に挿入カードの返却動作を行なうまでにＴ２のタイムラグを設けることにより、パチンコ遊技機側の玉貸動作と返却ボタンの返却操作とが同一タイミングで行なわれた場合に玉貸が行なわれたにもかかわらず挿入カードが返却されてしまい、カード残高の減額更新をしなければならないカードが既に返却されてしまっているという不都合を防止できる利点がある。なお、Ｓ２０，Ｓ２３〜Ｓ２５の処理を行なわないようにし、玉貸が終了するまでは返却操作を受付けないようにしてもよい。
　【００８３】
　Ｓ２６では、玉貸要求信号の出力を停止し、貸玉額をクリアする処理が行なわれ、Ｓ２７より、返却可表示器４６ｄ（図１参照）が消灯され、Ｓ２８より、カードリーダライタ制御部に現在残高，カード書込排出指令信号を出力する処理がなされる。このＳ２８による信号を受けてカードリーダライタ制御部は、挿入カードのカード残高を現在残高に更新した後その挿入カードを排出する制御を行なう。このＳ２８の制御が行なわれた後にＳ４２に進み、挿入カードの返却に伴う制御が行なわれる。
　【００８４】
　一方、Ｓ２４により払出制御用マイクロコンピュータから玉貸準備信号の入力があったと判断された場合にはＳ２９に進み、返却可表示器４６ｄが消灯されて返却操作ができない旨を表示し、Ｓ３０に進み、タイマＴ３がセットされる。このタイマＴ３は、パチンコ遊技機側での貸玉の払出に要する時間を考慮してたとえば１０ｓｅｃ程度に設定されている。このタイマＴ３が終了する以前において払出制御用マイクロコンピュータから貸玉完了信号の入力があった場合にはＳ３５に進むが、このタイマＴ３が終了したとしても貸玉完了信号の入力がなかった場合にはＳ３３に進み、玉貸異常をカード残高表示器５０（図１参照）によりコードで表示する処理が行なわれ、Ｓ３４により処理機使用可表示器１３０（図１参照）が消灯されてＳ２６に進む。そしてＳ２６以降の挿入カードの返却制御が行なわれる。つまり、払出制御用マイクロコンピュータから玉貸準備信号の入力があり払出制御用マイクロコンピュータにより玉貸制御が行なわれているはずであるにもかかわらず、Ｔ３が終了しても玉貸完了信号が払出制御用マイクロコンピュータから送信されてこないということは、パチンコ遊技機側の玉払出装置等に何らかの異常が発生したことが考えられるのであり、その場合には挿入カードを遊技者に返却するのである。
　一方、Ｔ３が終了する以前に払出制御用マイクロコンピュータから玉貸完了信号が入力されればＳ３５により、現在残高から単位額を減算し、貸玉額から単位額を減算する処理がなされる。払出制御用マイクロコンピュータから玉貸完了信号が入力されたということは、パチンコ遊技機側で単位額（たとえば１００円）に相当するパチンコ玉が貸出されたことを意味するために、その貸出されたパチンコ玉に相当する金額である単位額を、挿入カードの現在残高から減算するとともにＳ１４，Ｓ１５でセットされた貸玉額からその単位額を減算するのである。次にＳ３６に進み、カード処理機用ターミナルボックスに単位額売上信号を出力する処理がなされる。このカード処理機用ターミナルボックスに送信されてきた単位額売上信号が玉貸カード集中管理コンピュータに出力され、玉貸カード集中管理コンピュータにより玉貸カードの使用データが集計される。なお、カード処理機用ターミナルボックスから玉貸カード集中管理コンビュータヘの売上信号出力はリアルタイムで行なってもよいし、一定時間ごとあるいは一日ごとにまとめて行なってもよい。次にＳ３７に進み、玉貸要求信号の出力が停止され、Ｓ３８に進み、貸玉額＝０であるか否かの判断がなされる。Ｓ１４，Ｓ１５によってセットされた貸玉額に相当するパチンコ玉のうちまだ払出されていない未払出分が残っている場合には貸玉額が「０」となっていないためにＳ３８によりＯＮの判断がなされＳ１７に進み、払出制御用マイクロコンピュータに再度玉貸要求信号の出力がなされる。一方、玉貸額分のパチンコ玉がすべて払出されている場合には貸玉額＝０となっているためにＳ３９に進み、現在残高＝０であるか否かの判断が行なわれる。そして、挿入カードの現在残高がまだ残っている場合にはＳ４０に進み、玉貸可表示器４６ｄを点灯し、返却可表示器４８ｄを点灯する処理がなされてＳ１０に進み、再度の玉貸操作，返却操作の受付動作が行なわれる。一方、Ｓ３９により現在残高＝０と判断された場合にはＳ４１に進み、カードリーダライタ制御部に残高０，カード回収指令信号を出力する処理がなされる。これによりカードリーダライタ制御部は、挿入カードのカード残高を「０」に更新した後にその挿入カードを機内に回収する。次にＳ４２によりタイマＴ４がセットされる。このタイマＴ４は、カードリーダライタが挿入カードの残高を「０」に更新した後にその挿入カードを機内に回収するのに十分な時間を考慮して設定されているものであり、このタイマＴ４が終了する以前にカードリーダライタ制御部からカード処理完了信号を受信しなかった場合にはＳ４５に進み、カード処理異常をカード残高表示器５０によりコードで表示する処理が行なわれる。具体的には、たとえば挿入カードヘの残高「０」の書込不能や書込んだデータの読取確認をした場合のエラー等をコードにより表示する。
　【００８５】
　一方、タイマＴ４の終了する以前においてカードリーダライタ制御部からカード処理完了信号の入力があった場合にＳ４６に進み、カードが挿入されている旨の表示を行なうためのカード挿入表示器１３２（図１参照）を消灯し、Ｓ４７により玉貸異常があったか否かの判断が行なわれ、なかった場合にはＳ６に進み、新たなカードのカードリーダライタヘの挿入受付の制御が行なわれ、玉貸異常があった場合にはＳ４に進み、払出制御用マイクロコンピュータからの払出可能信号の受付制御が行なわれる。
　【００８６】
　以上説明したように、パチンコ遊技機側で単位額（たとえば１００円）に相当するパチンコ玉（たとえば２５個）が貸出されるごとに払出制御用マイクロコンピュータからカード処理機制御用マイクロコンピュータに玉貸完了信号が出力されるのであり、カード処理機制御用マイクロコンピュータではその出力信号を入力するたびに貸玉額（Ｓ１４，Ｓ１５を参照）分のパチンコ玉がすべて貸出されたか否かの判断を行ない、未だに貸出されていない未貸出分がある場合にはその未貸出分をすべて貸出すまで前記単位額（たとえば１００円）のパチンコ玉の貸出を繰返し行なうのである。このような制御の途中において、払出制御用マイクロコンピュータによる単位額（たとえば１００円）分のパチンコ玉の貸出制御の途中で故障等により貸出が不能の状態となった場合には、払出制御用マイクロコンピュータから玉貸完了信号が出力されなくなるのであり、その結果カード処理機６２による挿入カードのカード残高の減額更新も行なわれなくなる。その結果、単位額（たとえば１００円）のパチンコ玉の貸出制御においてたとえば６０円分のパチンコ玉の貸出制御を行なった段階で故障が発生した場合には、その６０円分のパチンコ玉の貸出に伴う負担を遊技場側が負わなければならないが、故障に伴う負担額が比較的小額の単位額（たとえば１００円）の範囲内となるために、遊技場の負担に伴う損害を極力最小限に食い止めることができる。
　【００８７】
　図２３ないし図２６は、図２０に示した制御回路の動作を説明するためのフローチャートである。
　【００８８】
　図２３ないし図２５のフローチャートで示すプログラムが実行されている最中に、図２６に示す割込プログラムがたとえば２ｍｓｅｃ毎に１回実行される。まずこの割込プログラムを図２６に基づいて説明する。
　【００８９】
　Ｓ１１９により、ゲーム制御用マイクロコンピュータから入賞信号があったか否かの判断が行なわれ、あるまで待機する。そして遊技領域１２０に打込まれたパチンコ玉が始動入賞口１２５ａ（図１参照）に入賞すれば、ゲーム制御用マイクロコンピュータ３７０から払出制御用マイクロコンピュータ３５０に入賞信号が入力され、Ｓ１２０により入賞記憶数を「１」加算してＳ１１９に戻る。
　【００９０】
　次に図２３ないし図２５に基づいて玉払出用の制御動作を説明する。まずＳ４８により、玉確認センサＡ，Ｂ共に玉有の検出をしているか否かの判断が行なわれる。図１０に示した玉確認センサＡ（６８ａ）と玉確認センサＢ（６８ｂ）との検出位置にパチンコ玉が存在する場合には、Ｓ４９に進み、満タン検出が行なわれているか否かの判断が行なわれる。余剰玉貯留皿１２２（図１参照）が未だに満杯になっていなければＳ５０に進み、未払出数＝０であるか否かの判断が行なわれる。この「未払出数」とは、払出すべきパチンコ玉のうち未だに払出が行なわれていないパチンコ玉の数を意味し、後述するＳ５４，Ｓ５９，Ｓ６２，Ｓ６３でそれぞれの値にセットされ、パチンコ玉が払出されるごとに後述するＳ８９により「１」ずつ減算される。
　【００９１】
　そして、未払出数が「０」の場合には、Ｓ５１に進み、カード処理機制御用マイクロコンピュータから玉貸要求信号があったか否かの判断が行なわれる。このＳ５１の判断はタイマＴ７がタイムアップするまで繰返し行なわれ、Ｔ７が終了するまでの間にカード処理機制御用マイクロコンピュータから玉貸要求信号がなかった場合にはＳ５６に進み、入賞玉センサＡが玉を検出したか否かの判断が行なわれ、入賞玉センサＡ（１７０ａ）が入賞玉を検出していなければＳ５７により入賞玉センサＢ（１７０ｂ）が入賞玉を検出したか否かの判断が行なわれ、検出していなければＳ６４に進む。このタイマＴ７は、一定期間に限り入賞玉の受付けよりも玉貸要求の受付の方を優先させるために設けられたものであり、後述のＳ９４によりセットされる。
　【００９２】
　Ｓ６４では、玉計数センサＡ（６８ｃ），Ｂ（６８ｄ）（図１０参照）のいずれかがパチンコ玉の流下を検出したか否かの判断が行なわれ、検出されていなければ玉確認センサＡ（６８ａ），Ｂ（６８ｂ）（図１０参照）のいずれかが玉の流下を検出したか否かの判断が行なわれ、検出していなければＳ６７に進み、払出ソレノイド２２３（図９参照）がＯＮになったか否かの判断が行なわれ、ＯＮになっていなければＳ４８に戻る。このＳ４８〜Ｓ５１，Ｓ５３，Ｓ５６，Ｓ５７，Ｓ６４，Ｓ６５，Ｓ６７からなるループの巡回途中で、払出ソレノイド２２３（図９参照）が励磁されていればＳ６７によりＹＥＳ判断がなされてＳ６８に進み、払出異常をエラー原因表示器１４６（図２参照）によりコードで表示するとともに、玉抜きソレノイド１８０（図２参照）を励磁して玉抜き処理を行なう。
　【００９３】
　つまり、Ｓ６７によりＹＥＳの判断がなされるということは、パチンコ玉の払出制御が行なわれていないにもかかわらず払出ソレノイド２２３が励磁された場合であり、このような異常はソレノイド駆動回路が故障していることが考えられ、その場合にソレノイド駆動回路の故障を報知するとともに、玉抜き処理を行なって玉タンク１５１およびタンクレール６７（図２参照）内のパチンコ玉を機外に抜取って大量のパチンコ玉が誤って打球供給皿５９（図１参照）内に払出されることを防止するのである。なお、払出ソレノイド２２３がＯＮになっているか否かの判断は、玉払出器６３（図２参照）内のソレノイド駆動部にたとえばフォトカプラを組込んで実際の駆動状態を検出することにより行なう。次に玉計数センサＡ，Ｂあるいは玉確認センサＡ，Ｂのいずれかが玉の流下を検出した場合には、Ｓ６６に進み、パチンコ玉の払出制御が行なわれていないにもかかわらずパチンコ玉が払出された旨の異常報知を行なうとともに、玉抜き処理を行なう。
　【００９４】
　次に、タイマＴ７がタイムアップするまでの間に、Ｓ１７のステップに従ってカード処理機制御用マイクロコンピュータ３００から玉貸要求信号が送信されてくれば、Ｓ５１によりＹＥＳの判断がなされてＳ５２に進み、玉貸動作のための制御が行なわれる。このように、Ｔ７が終了するまでは玉貸動作のための制御を優先させ、Ｔ７が終了して初めて入賞玉に基づく景品玉の払出制御を行なうようにしたために、設定額（Ｓ１４，Ｓ１５を参照）が２００円以上の場合に、景品玉の払出制御よりも玉貸動作のための制御のほうが優先されることになる。
　【００９５】
　Ｓ５２により、タンク玉センサが玉を検出しているか否かの判断が行なわれ、検出していなければＳ５３に進み玉貸しによるパチンコ玉の払出し動作が不能動化されるが、検出しておればＳ５４に進み、未払出数にｐをセットし、払出状態を「玉貸」にセットする処理が行なわれる。「未払出数」とは、払出すべきパチンコ玉の中でまだ払出されていない払出残り数のことであり、Ｓ５４および後述するＳ５９，Ｓ６２，Ｓ６３によりそれぞれの値がセットされるとともにパチンコ玉が１個払出されるごとにＳ８９により「１」ずつ減算される。なお、Ｓ５４のｐとは、単位額（Ｓ３５を参照）に相当するパチンコ玉の個数でありたとえば２５個に定められている。次にＳ５５に進み、カード処理機制御用マイクロコンピュータ３００に玉貸準備信号を出力する処理が行なわれてＳ６９に進む。
　【００９６】
　一方、始動入賞口１２５ａ，１２５ｂ，１２５ｃのいずれかにパチンコ玉が入賞すれば入賞玉センサＡにより検出され、Ｓ５６によりＹＥＳの判断がなされてＳ５８に進み、入賞記憶数＝０であるか否かの判断が行なわれる。この「入賞記憶数」とは、前述したＳ１２０により「１」ずつ加算され、Ｓ１０６より「１」ずつ減算されるものであり、始動入賞口１２５ａに入賞した入賞玉のうち未だに景品玉の払出が行なわれていない入賞玉の個数を意味する。そして、入賞記憶数が０でない場合にＳ５９に進み、未払出数にｎ個（たとえば７個）がセットされ、払出状態を「ｎ払出」にし、払出表示ランプ１２６の点灯を開始する処理が行なわれた後にＳ６９に進む。つまり、パチンコ玉が始動入賞口１２５ａに入賞すれば１個の入賞につきｎ個（たとえば７個）の景品玉が払出されることになる。一方、入賞記憶数＝０である場合にはＳ６０に進み、払出状態が、「ｎ払出」かまたは「ｍ払出」かの判断が行なわれる。現在の払出状態が「ｎ払出」または「ｍ払出」の場合にはＳ６１に進み、入賞玉センサＢ（１７０ｂ）がパチンコ玉を検出したか否かの判断が行なわれ、検出していなければＳ６２に進み、未払出数にｍ（たとえば１０個）をセットし、払出状態を「ｍ払出」にし、払出表示ランプ１２６の点灯を開始する処理が行なわれる。つまり、始動入賞口１２５ａ，１２５ｂ，１２５ｃにパチンコ玉が複数個入賞した場合においては、まず始動入賞口１２５ａに入賞した入賞玉に基づくｎ個（たとえば７個）のパチンコ玉の払出を優先し、その後始動入賞口１２５ｂ，１２５ｃに入賞した入賞玉に基づくｍ個（たとえば１０個）の景品玉の払出が行なわれる。一方、始動入賞口１２５ａ〜１２５ｃ以外の入賞口にパチンコ玉が入賞した場合には、入賞玉センサＢ（１７０ｂ）（図８参照）によりその入賞玉が検出され、Ｓ５７によりＹＥＳの判断がなされてＳ６３に進む。一方、前回の景品玉の払出が入賞玉センサＡ（１７０ａ）の検出出力に基づくｎまたはｍの景品玉の払出であり、かつ入賞玉センサＢ（１７０ｂ）からパチンコ玉の検出出力があればＳ６１によりＹＥＳの判断がなされてＳ６３に進む。Ｓ６３では、未払出数にｋ（たとえば１５個）をセットし、払出状態を「ｋ払出」にし、払出表示ランプ１２６の点灯を開始する制御を行なう。その結果、入賞玉センサＡ，Ｂが共に入賞玉を検出している場合には一方の入賞玉センサに基づく景品玉の払出と他方の入賞玉センサに基づく景品玉の払出とが交互に行なわれる。前述したＳ５９，Ｓ６２，Ｓ６３のｎ，ｍ，ｋの景品玉払出定数は、本実施例ではＲＯＭ３５２に固定記憶させるようにしたが、本実施例ではＲＯＭ３５２に固定記憶させるようにしたが、貸玉額設定スイッチ１３７（図２参照）と同様のスイッチで選択設定できるようにしてもよいし、払出制御基板ボックス１４５または適所にカードリーダを設けて、景品玉払出定数データが記録された設定用カードをカードリーダで読取らせて設定できるようにしてもよい。前記Ｓ１０，Ｓ１７，Ｓ４８〜Ｓ５２，Ｓ５６，Ｓ５７，Ｓ１１９，Ｓ１２０により、玉を払出すべき玉払出条件が成立したか否かを判定する払出条件判定手段が構成されている。
　【００９７】
　図２２のＳ６９では、タイマＴ５がセットされる。このタイマＴ５は、払出ソレノイド２２３の励磁する時間を定めるものであり、払出スプロケット７４（図９，図１３参照）がパチンコ玉の自重でストッパ係止部一個分回転するのに要する時間（たとえば８〜１０ｍｓｅｃ）だけ払出ソレノイド１８０を励磁するためのものである。次にＳ７０により払出ソレノイドをＯＮにする制御が行なわれ、Ｓ７１に進み、玉計数センサＡが払出玉を検出したか否かの判断が行なわれる。そして未だに玉計数センサＡが払出玉を検出していない場合にはＳ７２に進み、玉計数センサＢが払出玉を検出したか否かの判断が行なわれ、未だに検出していない場合にはＳ８０に進み、タイマＴ５が終了したか否かの判断が行なわれ、未だにタイマＴ５が終了していない場合にはＳ８１に進み減算して終了するか否かの判断が行なわれ、減算したとしても終了しない場合にはＳ７２に戻り、払出ソレノイドがＯＮに制御され続ける。払出ソレノイド２２３（図９参照）が励磁されたことに伴って、前述したように払出スプロケット７４が回転可能となり、パチンコ玉の自重により払出スプロケット７４が回転してパチンコ玉が１個玉通過口６４ａから下方に払出されれば、玉計数センサＡ（６８ｃ）が払出玉を検出して、Ｓ７３に進み、玉計数センサＡの検出記憶があるか否かの判断が行なわれる。
　【００９８】
　この玉計数センサＡの検出記憶は、玉計数センサＡの記憶がない状態で玉計数センサＡが払出玉を検出した場合にＳ７４により記憶されるものであり、玉計数センサＢの記憶がない状態で玉計数センサＢが払出玉を検出した状態でＳ７６によりその記憶がクリアされるものである。つまり、玉払出器６３が正常に作動している場合には２つの玉通過口６４ａ，６４ｂから交互に１つずつパチンコ玉が払出されるのであり、その場合には必ず玉計数センサＡが払出玉を検出した時点では玉計数センサＡの検出記憶がクリアされており、玉計数センサＢが払出玉を検出した時点では玉計数センサＢの検出記憶がクリアされるはずであり、正常に作動している以上Ｓ７３とＳ７５とではＮＯの判断がなされるはずである。ところが、装置内でパチンコ玉が詰まった場合や玉計数センサが故障した場合には、Ｓ７３やＳ７５によりＹＥＳ判断がなされることになり、その場合にはＳ７７に進み、玉計数センサの故障または装置内の玉詰まりの異常状態が発生した旨をエラー原因表示器１４６によりコードによって表示するとともに玉抜き処理が行なわれる。
　【００９９】
　一方、Ｓ７３によりＮＯの判断がなされた場合にはＳ７４に進み、玉計数センサＡの検出を記憶し、玉計数センサＢの検出記憶をクリアし、検出個数に「１」を加算する。一方、Ｓ７５によりＮＯの判断がなされた場合にはＳ７６に進み、玉計数センサＡの検出を記憶し、玉計数センサＡの検出記憶をクリアし、検出個数に「１」を加算する。次にＳ７８に進み、検出個数＝２になるか否かの判断が行なわれる。正常に玉払出動作が行なわれている場合には、Ｔ５のセット時間だけ払出ソレノイド２２３が励磁されて１個のパチンコ玉が払出されて検出されるはずであり、検出個数が「１」となるはずである。その検出個数が「２」でない場合にはＳ８０に進み、タイマＴ５が終了したか否かの判断が行なわれ、終了した場合にはＳ８３に進み払出ソレノイドをＯＦＦに制御するのであるが、パチンコ玉が２個払出されて検出個数が「２」になった場合には、Ｓ７９に進み払出ソレノイドの１回の作動で複数個の玉が払出された旨の異常状態をエラー原因表示器１４６によりコードによって表示するとともに玉抜き処理が行なわれる。
　【０１００】
　次に、Ｓ８１により減算して終了すると判断された場合にはＳ８２に進み、タイマＴ６がセットされた後にＳ８３により払出ソレノイド２２３がＯＦＦに制御される。このタイマＴ６は、払出ソレノイド２２３が励磁されて払出されたパチンコ玉が玉計数センサＡまたはＢで検出されたかどうかをチェックするために必要な時間を計時するためのものである。そしてＳ８４によりＴ６が終了したか否かの判断が行なわれ、終了した場合にはＳ８７に進み、検出個数＝０であるか否かの判断が行なわれる。正常に払出されている場合には検出個数が「１」になっているために、Ｓ８８に進み、検出個数をクリアし作動回数をクリアしてＳ８９により未払出数を「１」減算してＳ９０に進む。このＳ８９によりパチンコ玉が払出される毎に未払出数が「１」ずつ減算され、未払出数が「０」になっていない場合には前記Ｓ５０によりＮＯの判断がなされＳ６９以降のパチンコ玉の払出制御が行なわれるのであるが、未払出数が「０」になれば前記Ｓ５０によりＹＥＳの判断がなされ、パチンコ玉の払出が一旦終了して次の払出条件の成立まで払出制御が休止される。次にＳ９０により、払出状態が「玉貸」であるか否かの判断が行なわれ、払出状態が「玉貸」以外の場合すなわち入賞玉に基づく景品玉の払出の場合にはＳ９８に進み、景品玉の払出に伴う制御が行なわれる。一方、払出状態が「玉貸」の場合にはＳ９１に進み、未払出数＝０であるか否かの判断が行なわれ、０でない場合にはＳ４８に進むが、０の場合にはＳ９２に進み、カード処理機制御用マイクロコンピュータ３００に玉貸完了信号を出力する処理が行なわれ、Ｓ９３により、遊技機用ターミナルボックス１４９，コネクタ１５８，１５７を介してホール用管理コンピュータに単位額売上信号を出力する処理が行なわれる。この「単位額売上信号」とは、単位額（Ｓ１４，Ｓ１５を参照）分のパチンコ玉がカードを用いて貸出されたことによる単位額分のパチンコ玉の売上信号であり、この信号を受信したホール用管理コンピュータが、カードによる売上額の集計を行なう。次にＳ９４によりタイマＴ７がセットされてＳ４８に戻る。
　【０１０１】
　一方、タイマＴ６が終了する期間内に１個もパチンコ玉が払出されなかった場合にはＳ８７によりＹＥＳの判断がなされてＳ９５に進み、作動回数に「１」を加算して、Ｓ９６に進み、作動回数が「２」であるか否かの判断が行なわれ、作動回数が１回目の場合にはＳ４８に戻り、再度パチンコ玉の払出制御を行なう。そして再度のパチンコ玉の払出制御にもかかわらずパチンコ玉が１個も払出されなかった場合には、再びＳ９５により作動回数が「１」加算される。その結果、作動回数＝２となり、Ｓ９６により、パチンコ玉を払出すべき払出条件が成立したにもかかわらずパチンコ玉が払出されなかったまたは払出した玉が検出されなかった旨の異常状態をエラー原因表示器１４６によりコードにより表示するとともに玉抜き処理が行なわれる。
　【０１０２】
　なお、Ｓ９７による異常時処理の異常状態の原因をさらに詳しく特定してもよい。すなわち、玉確認センサがパチンコ玉の流下を検出した場合には玉計数センサの故障であり、玉確認センサが玉の流下を検出せずかつ払出ソレノイドの作動が検出された場合には玉詰まりまたは玉確認センサの故障であり、玉確認センサがパチンコ玉の流下を検出せずかつ払出ソレノイドの作動が検出されなかった場合には払出ソレノイドの故障というように異常原因を細かく判定してもよい。また、玉確認センサによって玉の流下を検出判定するようにし、玉確認センサによる流下玉の検出個数と玉計数センサによる検出個数とを比較して、玉の払出状態を監視するように構成してもよい。
　【０１０３】
　次に、Ｓ８４により、Ｔ６が終了していないと判断された場合にはＳ８５に進み、払出ソレノイドがＯＮになっているか否かの判断がなされ、ＯＮになっていない場合にはＳ７１に進む。一方、Ｓ８３により払出ソレノイドをＯＦＦに制御したにもかかわらず払出ソレノイドがＯＮになっている場合にはＳ８５によりＹＥＳ判断がなされＳ８６に進み、ソレノイド駆動回路の故障をエラー原因表示器１４６によりコードによって表示するとともに玉抜き処理を行なう。このＳ８５による判断も、前述と同様に、玉払出器６３のソレノイド駆動部にたとえばフォトカプラを組込んで実際の駆動状態を検出することにより行なう。前記Ｓ６４〜Ｓ６６，Ｓ７１，Ｓ７２，Ｓ８１，Ｓ８２，Ｓ８７，Ｓ９５〜Ｓ９７により、前記払出条件判定手段の判定結果と前記玉払出検出手段の検出結果とに基づいて装置の動作状態の適否を判定する適否判定手段が構成されている。
　【０１０４】
　次に払出状態が「玉貸」ではなく景品玉の払出の場合にはＳ９８により、景品玉払出数を「１」加算する。つまり、入賞に基づいて景品玉が１個払出されるごとにＳ９８により景品玉払出数を「１」ずつ加算する処理が行なわれる。次にＳ９９により、景品玉払出数が「ａ」になったか否かの判断が行なわれ、なっていない場合にはＳ１０２に進むが、なっている場合にはＳ１００に進み、遊技機用ターミナルレボックス１４９ネコネクタ１５６，１５５を介してホール用管理コンピュータに景品玉払出信号の出力がなされる。ホール用管理コンピュータでは、この景品玉払出信号に基づいて遊技場にとって不利益となる不利益球数を集計する。このように、所定個数の景品玉が払出されるごとに景品玉払出信号が１パルスホール用管理コンピュータに出力されるのであり、この１パルスの景品玉払出信号が出力されるのに要する景品玉の払出個数が「ａ」でありたとえば１０個に設定されている。この「ａ」は補給装置１５３の補給玉検出器の出力単位個数と同じ値である。そして、景品玉払出信号が出力されるとＳ１０１により景品玉払出数がクリアされて「０」となる。次にＳ１０２に進み、未払出数＝０であるか否かの判断が行なわれ、「０」でなければＳ４８に進むが、「０」である場合にはＳ１０３に進み、タイマＴ８がセットされる。このタイマＴ８は入賞玉の排出処理のチェックに必要となる時間を計時するものである。次にＳ１０４に進み、払出表示ランプ１２６（図１参照）が消灯され、Ｓ１０５により、払出状態が「ｎ払出」であるか否かの判断が行なわれる。払出状態が「ｎ払出」の場合には、Ｓ１０６により入賞記憶数を「１」減算する処理が行なわれる。「ｎ払出」の場合には入賞記憶数（Ｓ１２０参照）に基づく景品玉の払出であるために、未払出数が「０」（Ｓ１０２参照）となって１個の入賞記憶数に基づく景品玉の排出が終了したことに伴ってその入賞記憶を「１」減算するのである。次にＳ１０８に進み、払出ソレノイドＡ（１７１ａ）（図８参照）をＯＮにする。次にＳ１０９により、入賞玉センサＡ（１７０ａ）がパチンコ玉のあることを検出したか否かの判断が行なわれる。排出ソレノイドＡ（１７１ａ）がＯＮになって励磁されれば、図８に示すように、入賞玉センサＡ（１７０ａ）内のパチンコ玉が１個下方に落下するのであり、所定期間内のうちには入賞玉センサＡ（１７０ａ）が玉を検出しなくなるはずである。そして、Ｓ１１０によりタイマＴ８が終了するまで排出ソレノイドＡを励磁し続けて入賞玉センサＡが玉有りを検出し得るか否かの判断を行ない、入賞玉センサＡが玉有りを検出しなくなればＳ１１１により排出ソレノイドＡ（１７０ａ）をＯＦＦに制御してＳ４８に戻る。一方、タイマＴ８が終了する期間中ずっと入賞玉センサＡが玉有りを検出し続けた場合には、排出ソレノイドＡが励磁されているにもかかわらず入賞玉センサＡ内のパチンコ玉が下方に落下しないということであり、玉詰まりまたは入賞玉センサＡや排出ソレノイドＡの故障が考えられるため、Ｓ１１６により、ソレノイドの故障による払出異常が発生した旨をエラー原因表示器１４６によりコードによって表示させるとともに玉抜き処理が行なわれる。次にＳ１１７に進み、リセット操作があったか否かの判断がなされリセット操作があるまで待機する。そしてリセット操作があればＳ１１８に進み、検出個数をクリアし、作動回数をクリアし、玉計数センサＡの検出記憶をクリアするとともに玉計数センサＢの検出記憶をクリアする処理が行なわれてＳ４８に戻る。
　【０１０５】
　一方、Ｓ１０７により、払出状態が「ｍ払出」であるか否かの判断が行なわれ、「ｍ払出」の場合には前記Ｓ１０８に進むが、払出状態が「ｎ払出」でもなく「ｍ払出」でもない場合すなわち「ｋ払出」の場合にはＳ１１２に進み、排出ソレノイドＢ（１７１ｂ）（図８参照）をＯＮにする制御が行なわれる。つまり、「ｋ払出」の場合には、第２の入賞玉集合樋４５内の入賞玉に基づく景品玉の払出であるために、Ｓ１１２により排出ソレノイドＢ（１７１ｂ）が励磁されるのである。次にＳ１１３により、入賞玉センサＢ（１７０ｂ）が玉有りを検出したか否かの判断が行なわれ、前述と同様に、タイマＴ８が終了するまでの間に玉有りを検出しなくなればＳ１１５に進んで排出ソレノイドＢをＯＦＦに制御した後Ｓ４８に進むが、タイマＴ８が終了するまでの間はずっと入賞玉センサＢが玉有りを検出し続けた場合にＳ１１６に進み、前述と同様に払出異常コードの表示，玉抜き処理の制御が行なわれた後にＳ１１７に進む。なお、前述した、Ｓ６６，Ｓ６８，Ｓ７７，Ｓ７９，Ｓ８６，Ｓ９７の異常時の処理が行なわれた後もＳ１１７に進み、リセット操作の受付制御が行なわれる。なお、玉確認センサＡが玉有りを検出せずかつ玉計数センサＡが玉の流下を検出した場合に玉確認センサＡが故障した旨の異常コードをエラー原因表示器１４６により表示させるとともに玉抜き処理を行ない、また、玉確認センサＢが玉有りを検出せずかつ玉計数センサＢが玉の流下を検出した場合に玉確認センサＢが故障した旨の異常コードをエラー原因表示器１４６により表示させるとともに玉抜き処理を行なうようにプログラム制御してもよい。さらに、前記Ｓ７１によりＮＯと判断がなされた場合に玉確認センサＡが玉の流下を検出したか否かの判断ステップを挿入して玉確認センサＡが玉の流下を検出した場合には玉計数センサＡが故障した旨の異常コードを表示して玉抜き処理を行なうようにプログラム制御してもよい。つまり、Ｓ７２により玉計数センサＢが玉払出を検出しなかった場合に玉確認センサＢが玉の流下を検出したか否かの判断ステップを挿入し、玉確認センサＢが玉の流下を検出した場合には玉検出センサＢが故障した旨の異常コード表示をするとともに玉抜き処理を行なうようにしてもよい。このような玉確認センサＡ，Ｂと玉計数センサＡ，Ｂとの検出状態の組合せによって異常が発生したか否かの判断をするステップにより、前記第１の玉検出手段の検出結果と前記第２の玉検出手段の検出結果との組合せに基づいて、装置の動作状態の適否を判定する適否判定手段が構成される。
　【０１０６】
　本実施例では、入賞玉を貯留しておき１個の入賞玉に基づく景品玉の払出制御が終了した後入賞玉１個排出処理しさらに次の入賞玉に基づく景品玉の払出制御を行なうという入賞玉１個宛処理を行なうものを取上げたが、その代わりに、入賞玉を貯留しておくことなく入賞玉検出ごとに、対応する景品玉数を未払出数に加算するとともに、払出玉の検出ごとに未払出数から減算し、その未払出数を遊技者に表示するようにし、その未払出数が「０」になれば景品玉の払出制御を停止させるようにしてもよい。また、本実施例ではカード自体に遊技者所有の有価価値を記録するようにしたが、それに代えて、遊技者所有の有価価値をカード番号と共にホール用管理コンピュータに記憶させ、挿入されたカードに記録されているカード番号を手がかりにそのホール用管理コンピュータに記憶されている有価価値の中から挿入カードに対応するものを割出し、その割出された遊技者所有の有価価値を使用して本発明の玉払出装置による玉の払出を行なうようにしてもよい。
　【０１０７】
　また、本実施例では、カード処理機６２に挿入されたカードに記録されているカード残額を使用して貸玉が打球供給皿５９に払出されるパチンコ遊技機を示したが、本発明はこれに限らず、遊技者が玉貸機から玉を借りてその貸玉を打球供給皿５９に投入して遊技を行なう従来から一般的なパチンコ遊技機に本発明の玉払出装置を内蔵させてもよい。また、玉貸機に本発明の玉払出装置を内蔵させて貸玉が払出されるようにしてもよい。
　図２に示されるように、前記玉払出機構は、遊技機（パチンコ遊技機６０）に設けられる。前記玉払出機構は、遊技者所有の有価価値を特定可能な情報（カード残高）が記録された記録媒体（カード）の記録情報により特定される有価価値を使用して玉貸出指令を発する記録媒体処理機（カード処理機６２）からの玉貸出指令にしたがって貸玉の払出を行なうとともに、遊技における景品玉払出条件の成立に基づいて景品玉の払出を行なう（図２１〜図２６参照）。前述したＳ９３、情報出力回路３６４および遊技機制御用ターミナルボックス１４９により、前記適否判定手段により装置の動作状態が適正であると判定されたことを条件として、前記貸玉の払出時における所定個数の貸玉の払出に応じて、所定個数の貸玉の払出が完了した旨を示す情報（単位額売上信号）を前記遊技機の外部に出力する貸玉情報出力手段が構成されている。また、前述したＳ１００、情報出力回路３６４および遊技機制御用ターミナルボックス１４９により、前記適否判定手段により装置の動作状態が適正であると判定されたことを条件として、前記景品玉の払出時における所定個数の景品玉の払出に応じて、所定個数の景品玉の払出が行なわれた旨を示す情報（景品玉払出信号）を前記遊技機の外部に出力する景品玉情報出力手段が構成されている。
　図９〜図１２に示されるように、前記玉払出機構は、玉を払出す場合に所定個数（１個）を１単位として単位個数ずつ玉を払出す動作を行なう。前記適否判定手段は、前記玉払出機構により玉が払出される状態において玉の実際の払出単位個数を認識し（図２４のＳ７１〜Ｓ７８，Ｓ８７参照）、認識した払出単位個数が前記１単位としての所定個数よりも多い場合に、装置の動作状態が不適正であると判定する（図２４のＳ７９参照）。
　図２４に示されるＳ８７，Ｓ９５，Ｓ９６により、前記玉払出機構により玉が払出される状態における玉の実際の払出単位個数が前記１単位としての所定個数に満たない場合に、前記玉払出機構による玉の払出動作を再度実行させる払出動作再実行手段が構成されている。前記適否判定手段は、前記払出動作再実行手段により玉の払出動作が再度実行された際の前記玉払出機構により玉が払出される状態において玉の実際の払出単位個数を認識し（図２４のＳ７１〜Ｓ７８，Ｓ８７参照）、認識した払出単位個数が前記１単位としての所定個数に満たない場合に、装置の動作状態が不適正であると判定する（図２４のＳ９７参照）。
　【０１０８】
　　【発明の効果】
　請求項１に記載の本発明によれば、装置の動作状態に異常が生ずれば適否判定手段の働きにより異常の発生が自動的に判定される。しかも、適否判定に供される情報として、払出条件判定手段の判定結果と玉払出検出手段の検出結果とに関する情報が含まれているために、たとえば玉の払出が玉払出条件の成立に基づいた適正なものか否か等の判定も可能となり、より高い適否判定機能を発揮し得る。そして、景品玉の払出時における所定個数の景品玉の払出に応じて、所定個数の景品玉の払出が行なわれた旨を示す情報が遊技機の外部に出力されるため、貸玉の払出状況と、景品玉の払出状況とを遊技機の外部において把握することができる。さらに、それらの情報は、装置の動作状態が適正であると判定されたことを条件として外部に出力されるため、正確な貸玉の払出状況および景品玉の払出状況を遊技機の外部において把握することができる。つまり、装置の適否判定の結果が、単に遊技機内部における装置の動作状態の適否の自動判定のために利用可能にするだけでなく、有効な貸玉の払出状況および有効な景品玉の払出状況を遊技機外部において正確に管理することのためにも利用することができるのである。
　【０１０９】
　請求項２に記載の本発明によれば、装置の動作状態に異常が生ずれば適否判定手段の働きにより異常の発生が自動的に判定される。しかも、第１の玉検出手段の検出結果と第２の玉検出手段の検出結果との両検出結果の組合せに基づいて適否判定が行なわれるために、たとえば第１の玉検出手段が故障したこと等の判定も可能となり、より高い適否判定機能を発揮し得る。
　請求項３に記載の本発明によれば、請求項２に記載の発明の効果に加えて、次のような効果を得ることができる。貸玉の払出時における所定個数の貸玉の払出に応じて、所定個数の貸玉の払出が完了した旨を示す情報が遊技機の外部に出力され、景品玉の払出時における所定個数の景品玉の払出に応じて、所定個数の景品玉の払出が行なわれた旨を示す情報が遊技機の外部に出力されるため、貸玉の払出状況と、景品玉の払出状況とを遊技機の外部において把握することができる。さらに、それらの情報は、装置の動作状態が適正であると判定されたことを条件として外部に出力されるため、正確な貸玉の払出状況および景品玉の払出状況を遊技機の外部において把握することができる。つまり、装置の適否判定の結果が、単に遊技機内部における装置の動作状態の適否の自動判定のために利用可能にするだけでなく、有効な貸玉の払出状況および有効な景品玉の払出状況を遊技機外部において正確に管理することのためにも利用することができるのである。
　請求項４に記載の本発明によれば、請求項１または２に記載の発明の効果に加えて、次のような効果を得ることができる。玉払出機構により玉が払出される状態において認識した実際の払出単位個数が玉払出機構により払出されるはずの単位個数よりも多い場合に、装置の動作状態が不適正であると判定されるので、払出すべき個数よりも多くの個数の玉を払出してしまう払出状態の発生を払出単位個数ごとに把握することが可能になるため、玉の払出における遊技場側の不利益を極力防止することができる。
　請求項５に記載の本発明によれば、請求項１または２に記載の発明の効果に加えて、次のような効果を得ることができる。玉払出機構により玉が払出される状態において認識した実際の払出単位個数が玉払出機構により払出されるはずの単位個数に満たない場合に、玉払出機構による玉の払出が再実行されるため、一時的な玉詰まり等の容易に復旧可能な軽微な異常が生じた場合に自動的に異常状態を復旧することが可能になるため、係員の作業負担を軽減することができる。さらに、玉の払出の再実行が行なわれた状態で、玉払出機構により玉が払出される状態において認識した実際の払出単位個数が玉払出機構により払出されるはずの単位個数に満たない場合に、装置の動作状態が不適正であると判定されるので、払出すべき個数の玉が十分に払出せない払出状態の発生を払出単位個数ごとに把握することが可能になるため、玉の払出における遊技者側の不利益を極力防止することができる。
【図面の簡単な説明】
　　【図１】
　本発明に係る玉払出装置が用いられるパチンコ遊技機およびカード処理機の全体正面図である。
　　【図２】
　カード処理機およびパチンコ遊技機の一部内部構造を示す裏面図である。
　　【図３】
　前面板の裏面側の構造を示す要部構成図である。
　　【図４】
　打球供給皿の構造を説明するための縦断面図である。
　　【図５】
　前面板に取付けられた各種部品を示す分解斜視図である。
　　【図６】
　前面板に取付けられる各種部品を示す分解斜視図である。
　　【図７】
　入賞玉の流下径路を示す要部縦断面図である。
　　【図８】
　入賞玉処理装置の構造および動作を説明するための要部縦断面図である。
　　【図９】
　玉払出器の構造を示す縦断面図である。
　　【図１０】
　玉払出器における各部センサの配設位置を説明するための縦断面図である。
　　【図１１】
　玉払出器の払出動作を説明するための動作説明図である。
　　【図１２】
　玉払出器の払出動作を説明するための動作説明図である。
　　【図１３】
　玉払出器の構造を説明するための分解斜視図である。
　　【図１４】
　玉払出器の部品である後方ベースを示す斜視図である。
　　【図１５】
　玉払出器が組付けられる組付カバー体を示す斜視図である。
　　【図１６】
　玉払出器の部品である払出ソレノイドの構造を示す分解斜視図である。
　　【図１７】
　玉抜き機構の要部を示す構成図であり、玉抜きされていない通常状態を示す図である。
　　【図１８】
　玉抜き機構の要部を示す構成図であり、玉抜き動作開始時の状態を示す図である。
　　【図１９】
　カード処理機の制御回路を示すブロック図である。
　　【図２０】
　払出制御基板および投受光器制御基板の制御回路を示すブロック図である。
　　【図２１】
　図１９に示した制御回路の動作を説明するためのフローチャートである。
　　【図２２】
　図１９に示した制御回路の動作を説明するためのフローチャートである。
　　【図２３】
　図２０に示した制御回路の動作を説明するためのフローチャートである。
　　【図２４】
　図２０に示した制御回路の動作を説明するためのフローチャートである。
　　【図２５】
　図２０に示した制御回路の動作を説明するためのフローチャートである。
　　【図２６】
　図２０に示した制御回路の動作を説明するためのフローチャートである。
　　【符号の説明】
　６３は玉払出器、２２３は払出ソレノイド、７４は払出スプロケット、６８ａは玉確認センサＡ、６８ｂは玉確認センサＢ、６８ｃは玉計数センサＡ、６８ｄは玉計数センサＢ、６７ａ〜６７ｄは投光器、３５０は払出制御用マイクロコンピュータ、６２はカード処理機、６０はパチンコ遊技機、５０は残金額表示器（カード残高表示器）である。